(57)【要約】【課題】  本発明は、増設や削除に自動的に対応することができ、各機器監視装置を統括するサーバを必要とすることなく各機器の監視情報を閲覧装置に閲覧させ得る機器監視装置及び機器監視システムを提供する。【解決手段】  本発明の機器監視装置は、ＵＲＬの送信が要求されると自機のＵＲＬを返信する第１処理部と、第２通信ネットワークに自機をオンライン状態で接続する追加モードである場合に、他機へＵＲＬの送信を要求してその返信された他機のＵＲＬ及び自機のＵＲＬにリンクを張ったリンクのウェブページファイルを生成して記憶する第２処理部と、リンクのウェブページファイルが生成された場合にこれを他機へ同報通信で送信する第３処理部と、他機からリンクのウェブページファイルを受信するとこれを更新する第４処理部と、閲覧装置からアクセスがあった場合にリンクのウェブページファイルをブラウザによって閲覧装置に表示させる第５処理部とを備える。【選択図】      図２
2006039965.tif 000002
【特許請求の範囲】
【請求項１】
監視対象の機器を監視すると共に、前記監視対象の機器に関する監視情報を前記監視対象の機器から取得して該取得した前記監視情報を閲覧装置にブラウザで表示させる機器監視装置において、
前記監視対象の機器と第１通信ネットワークを介して通信を行うための第１通信部と、
前記閲覧装置と第２通信ネットワークを介して通信を行うための第２通信部と、
自機のＵＲＬ、前記監視情報及び前記ブラウザによって表示可能なウェブページファイルを記憶する記憶部と、
動作モードを入力するモード入力部と、
ＵＲＬの送信を要求する旨を示す情報を収容した第１通信信号を前記第２通信部で受信した場合に、前記記憶部に記憶された前記自機のＵＲＬを収容した第２通信信号を返信する第１処理部と、
前記動作モードが前記第２通信ネットワークに自機をオンライン状態で接続する追加モードである場合に、前記第２通信ネットワークに接続する他の機器監視装置へ前記第１通信信号を同報通信で送信すると共に、前記他の機器監視装置から返信された第２通信信号に収容されている他の機器監視装置のＵＲＬを用いて前記自機のＵＲＬ及び前記他の機器監視装置のＵＲＬにリンクを張ったリンクのウェブページファイルを生成して前記記憶部に記憶する第２処理部と、
前記リンクのウェブページファイルが生成された場合に、該リンクのウェブページファイルを収容した第３通信信号を前記他の機器監視装置へ同報通信で送信する第３処理部と、
前記第３通信信号を前記第２通信部で受信した場合に、該受信した第３通信信号に収容されているリンクのウェブページファイルで前記記憶部に記憶されているリンクのウェブページファイルを更新する第４処理部と、
前記閲覧装置からアクセスがあった場合に前記記憶部に記憶された前記リンクのウェブページファイルを前記ブラウザによって前記閲覧装置に表示させる第５処理部とを備えること
を特徴とする機器監視装置。
【請求項２】
前記動作モードが自機の前記第２通信ネットワークへの接続をオフライン状態にする一時離脱モードである場合に、自機がオフライン状態であることを示す情報をさらに追加したリンクのウェブページファイルを生成して前記記憶部に記憶する第６処理部をさらに備えること
を特徴とする請求項１に記載の機器監視装置。
【請求項３】
前記第２通信ネットワークに接続する他の機器監視装置に対し稼働状態の確認を行うと共に、稼動状態が異常状態と判断された他の機器監視装置に対しその旨を示す情報をさらに追加したリンクのウェブページファイルを生成して前記記憶部に記憶する第７処理部をさらに備えること
を特徴とする請求項１に記載の機器監視装置。
【請求項４】
自機の監視対象の機器からイベントの発報があった場合に、その旨を示す情報をさらに追加したリンクのウェブページファイルを生成して前記記憶部に記憶する第８処理部をさらに備えること
を特徴とする請求項１に記載の機器監視装置。
【請求項５】
前記動作モードが前記第２通信ネットワークから自機の接続を解除する削除モードである場合に、前記記憶部に記憶されているリンクのウェブページファイルから自機のリンクを削除したリンクのウェブページファイルを生成して前記記憶部に記憶する第９処理部をさらに備えること
を特徴とする請求項１に記載の機器監視装置。
【請求項６】
前記記憶部は、機器監視装置にアクセスする場合に前記閲覧装置が使用するＩＰアドレスと同一のＩＰアドレスをさらに記憶し、
前記記憶部に記憶されている自機のＩＰアドレスが前記閲覧装置が使用するＩＰアドレスと同一である場合には、自機のＩＰアドレスと前記第２通信ネットワークに接続する他の機器監視装置のＩＰアドレスと交換する第１０処理部をさらに備えること
を特徴とする請求項２又は請求項５に記載の機器監視装置。
【請求項７】
監視対象の機器と、ブラウザを有する閲覧装置と、前記監視対象の機器を監視すると共に、前記監視対象の機器に関する監視情報を第１通信ネットワークを介して前記監視対象の機器から取得して該取得した前記監視情報を第２通信ネットワークを介して前記閲覧装置にブラウザで表示させる機器監視装置とを備える機器監視システムにおいて、
前記機器監視装置は、請求項１乃至請求項６の何れか１項に記載の機器監視装置であること
を特徴とする機器監視システム。
【発明の詳細な説明】
【技術分野】
【０００１】
本発明は、１又は複数の監視対象の機器から監視情報を取得することによって該１又は複数の機器を集中的に監視する機器監視装置に関する。そして、このような機器監視装置を備える機器監視システムに関する。
【背景技術】
【０００２】
集合住宅、庁舎、ホール、商業ビル、オフィスビル及び工場等の建物には、照明機器、空調機器、計測機器及び防犯機器等の様々な機器が設置されている。近年では、通信技術等の進展により、これら機器は、通信線によって相互に接続されることによってネットワーク化され、さらに機器監視装置がネットワークに接続されて集中的に監視されるようになっている。そして、インターネットの普及により、最近では、インターネットを利用して端末装置からこれら機器を遠隔に監視を行う機器監視システムや、インターネットを利用して複数の機器監視システムを纏めて管理する群管理システムが要望され、その研究・開発が進展している。このような技術の一つとして特許文献１に記載のビル群管理システムがある。
【０００３】
この特許文献１には、第１の構成として、複数のビルにそれぞれ配置されるビル管理装置及びデータ転送端末と、ＷＷＷサーバと、ビル管理端末装置とを備えて構成されるビル群管理システムが開示されている。このような構成のビル群管理システムでは、各ビルにおいて、当該ビルに設置されている各設備の状態データは、ビル管理装置に集約され、集約された各設備の状態データは、データ転送端末によってインターネット等を介してＷＷＷサーバに転送される。このため、ビル管理端末装置からは、インターネット等を介して１つのＷＷＷサーバにアクセスするだけで複数のビルの設備状態を把握することができ、複数のビルの統括的な管理が容易になる。
【０００４】
また、特許文献１には、ＷＷＷサーバに障害が発生した場合に対処するために、第２の構成として、複数のビルにそれぞれ配置されるビル管理装置及ＷＷＷサーバと、ビル管理端末装置とを備えて構成されるビル群管理システムも記載されている。このような構成のビル群管理システムでは、各ビルにおいて、当該ビルに設置されている各設備の状態データは、ビル管理装置に集約され、集約された各設備の状態データは、当該ビルに設置されているＷＷＷサーバに転送される。そして、各ビルの各ＷＷＷサーバは、当該ビルの状態データのダイジェストあるいは必要に応じた任意の設備情報を相互に交換する。このため、ビル管理端末装置からは、インターネット等を介して何れのビルのＷＷＷサーバにアクセスしても複数のビルの設備状態を把握することができ、特定のＷＷＷサーバに障害が発生してもビル群管理システム全体としては影響が及ばない。
【０００５】
さらに、特許文献１には、第３の構成として、複数のビルにそれぞれ配置されるビル管理装置及ＷＷＷサーバと、集約サーバと、ビル管理端末装置とを備えて構成されるビル群管理システムも記載されている。このような構成のビル群管理システムでは、各ビルにおいて、当該ビルに設置されている各設備の状態データは、ビル管理装置に集約され、集約された各設備の状態データは、当該ビルのＷＷＷサーバに転送される。そして、各ＷＷＷサーバは、当該ビルの状態データのダイジェストあるいは必要に応じた任意の設備情報を相互に交換する。また、集約サーバには、各ビルの設備状況のダイジェストを表示する機能と、各ＷＷＷサーバへのリンク情報を表示する。このため、ビル管理端末装置がアクセスすべき最初のサーバを集約サーバに一元化することができる。
【０００６】
なお、特許文献１に記載のビル管理装置が機器監視装置に対応し、設備が機器に対応する。
【特許文献１】特開２０００−３０８１５２号公報
【発明の開示】
【発明が解決しようとする課題】
【０００７】
ところで、特許文献１に記載のシステムでは、各ビルの各設備における総ての状態データを統括するＷＷＷサーバが第１の構成では１個、第２及び第３の構成では複数個、必要であるという不都合がある。そして、ＷＷＷサーバは、各ビルの各設備における総ての状態データを処理する必要があると共にこれら総ての状態データあるいはそのダイジェストを蓄積しておく比較的大きな記憶容量が必要であるという不都合がある。また、ビルの各設備の監視を追加あるいは削除する場合には、監視するために必要な関連情報を追加あるいは削除する処理をＷＷＷサーバに行う必要があるという不都合がある。
【０００８】
さらに、特許文献１に記載の第３の構成によるシステムでは、各ＷＷＷサーバのリンクは、集約サーバで集中的に管理されるため、集約サーバに障害が発生した場合、ビル管理端末装置は、集約サーバにアクセスすることができず、各ビルの各設備の状態データを把握することができないという不都合がある。
【０００９】
本発明は、上述の事情に鑑みて為された発明であり、各機器監視装置を統括するサーバを必要とすることなく各機器の監視情報を閲覧装置に閲覧させ得る機器監視装置を提供することを目的とする。また、機器監視システムに増設や削除される場合に自動的にその関連情報を更新し得る機器監視装置を提供することを目的とする。そして、このような機器監視装置を備える機器監視システムを提供することを目的とする。
【課題を解決するための手段】
【００１０】
上述の目的を達成するために、本発明の一態様に係る、監視対象の機器を監視すると共に、前記監視対象の機器に関する監視情報を前記監視対象の機器から取得して該取得した前記監視情報を閲覧装置にブラウザで表示させる機器監視装置は、前記監視対象の機器と第１通信ネットワークを介して通信を行うための第１通信部と、前記閲覧装置と第２通信ネットワークを介して通信を行うための第２通信部と、自機のＵＲＬ、前記監視情報及び前記ブラウザによって表示可能なウェブページファイルを記憶する記憶部と、動作モードを入力するモード入力部と、ＵＲＬの送信を要求する旨を示す情報を収容した第１通信信号を前記第２通信部で受信した場合に、前記記憶部に記憶された前記自機のＵＲＬを収容した第２通信信号を返信する第１処理部と、前記動作モードが前記第２通信ネットワークに自機をオンライン状態で接続する追加モードである場合に、前記第２通信ネットワークに接続する他の機器監視装置へ前記第１通信信号を同報通信で送信すると共に、前記他の機器監視装置から返信された第２通信信号に収容されている他の機器監視装置のＵＲＬを用いて前記自機のＵＲＬ及び前記他の機器監視装置のＵＲＬにリンクを張ったリンクのウェブページファイルを生成して前記記憶部に記憶する第２処理部と、前記リンクのウェブページファイルが生成された場合に、該リンクのウェブページファイルを収容した第３通信信号を前記他の機器監視装置へ同報通信で送信する第３処理部と、前記第３通信信号を前記第２通信部で受信した場合に、該受信した第３通信信号に収容されているリンクのウェブページファイルで前記記憶部に記憶されているリンクのウェブページファイルを更新する第４処理部と、前記閲覧装置からアクセスがあった場合に前記記憶部に記憶された前記リンクのウェブページファイルを前記ブラウザによって前記閲覧装置に表示させる第５処理部とを備えることを特徴とする。
【００１１】
そして、上述の機器監視装置において、前記動作モードが自機の前記第２通信ネットワークへの接続をオフライン状態にする一時離脱モードである場合に、自機がオフライン状態であることを示す情報をさらに追加したリンクのウェブページファイルを生成して前記記憶部に記憶する第６処理部をさらに備えることを特徴とする。
【００１２】
また、上述の機器監視装置において、前記第２通信ネットワークに接続する他の機器監視装置に対し稼働状態の確認を行うと共に、稼動状態が異常状態と判断された他の機器監視装置に対しその旨を示す情報をさらに追加したリンクのウェブページファイルを生成して前記記憶部に記憶する第７処理部をさらに備えることを特徴とする。
【００１３】
さらに、上述の機器監視装置において、自機の監視対象の機器からイベントの発報があった場合に、その旨を示す情報をさらに追加したリンクのウェブページファイルを生成して前記記憶部に記憶する第８処理部をさらに備えることを特徴とする。
【００１４】
そして、上述の機器監視装置において、前記動作モードが前記第２通信ネットワークから自機の接続を解除する削除モードである場合に、前記記憶部に記憶されているリンクのウェブページファイルから自機のリンクを削除したリンクのウェブページファイルを生成して前記記憶部に記憶する第９処理部をさらに備えることを特徴とする。
【００１５】
また、上述の機器監視装置において、前記記憶部は、機器監視装置にアクセスする場合に前記閲覧装置が使用するＩＰアドレスと同一のＩＰアドレスをさらに記憶し、前記記憶部に記憶されている自機のＩＰアドレスが前記閲覧装置が使用するＩＰアドレスと同一である場合には、自機のＩＰアドレスと前記第２通信ネットワークに接続する他の機器監視装置のＩＰアドレスと交換する第１０処理部をさらに備えることを特徴とする。
【００１６】
そして、本発明の一態様に係る、監視対象の機器と、ブラウザを有する閲覧装置と、前記監視対象の機器を監視すると共に、前記監視対象の機器に関する監視情報を第１通信ネットワークを介して前記監視対象の機器から取得して該取得した前記監視情報を第２通信ネットワークを介して前記閲覧装置にブラウザで表示させる機器監視装置とを備える機器監視システムは、前記機器監視装置がこれら上述の何れか１つの機器監視装置であることを特徴とする。
【発明の効果】
【００１７】
このような構成の機器監視装置及び機器監視システムでは、第１通信部は、監視対象の機器と第１通信ネットワークを介して通信を行い、第２通信部は、閲覧装置と第２通信ネットワークを介して通信を行い、記憶部は、自機のＵＲＬ、監視情報及びブラウザによって表示可能なウェブページファイルを記憶し、モード入力部には、動作モードが入力され、第１処理部は、ＵＲＬの送信を要求する旨を示す情報を収容した第１通信信号を第２通信部で受信した場合に、記憶部に記憶された自機のＵＲＬを収容した第２通信信号を返信し、第２処理部は、動作モードモードが第２通信ネットワークに自機をオンライン状態で接続する追加モードである場合に、第２通信ネットワークに接続する他の機器監視装置へ第１通信信号を同報通信で送信する共に、他の機器監視装置から返信された第２通信信号に収容されている他の機器監視装置のＵＲＬを用いて自機のＵＲＬ及び他の機器監視装置のＵＲＬにリンクを張ったリンクのウェブページファイルを生成して記憶部に記憶し、第３処理部は、リンクのウェブページファイルが生成された場合に、このリンクのウェブページファイルを収容した第３通信信号を他の機器監視装置へ同報通信で送信し、第４処理部は、第３通信信号を第２通信部で受信した場合に、この受信した第３通信信号に収容されているリンクのウェブページファイルで記憶部に記憶されているリンクのウェブページファイルを更新し、第５処理部は、閲覧装置からアクセスがあった場合に記憶部に記憶されたリンクのウェブページファイルをブラウザによって閲覧装置に表示させる。
【００１８】
このため、機器監視システムに機器監視装置が新規に増設された場合には、増設された機器監視装置は、第２処理部によって他の機器監視装置のＵＲＬを収集し、この収集した他の機器監視装置のＵＲＬ及び自機のＵＲＬにリンクを張ったリンクのウェブページファイルを作成することができる。そして、増設された機器監視装置は、第３処理部によってこのリンクのウェブページファイルを他の機器監視装置に送信するので、機器監視システム内における全ての機器監視装置は、同一のリンクのウェブページファイルを人手によらず自動的に保持することができる。
【００１９】
そのため、閲覧装置は、機器監視システム内の１つの機器監視装置にアクセスすることによって機器監視システム内における全機器監視装置のＵＲＬを記述したリンクのウェブページファイルを得ることができるから、リンクによって機器監視システム内の任意の機器監視装置にアクセスすることができる。このため、機器監視装置は、自機の第１通信ネットワーク内における機器しか監視しないけれども、閲覧装置は、リンクのウェブページファイルにおけるリンクを辿って機器監視装置に個別にアクセスすることにより機器監視システム内における全機器の監視情報を取得することが可能である。
【００２０】
よって、本発明に係る機器監視システムでは、全機器監視装置を集中的に統括するサーバは、必要ではない。また、本発明に係る機器監視システムでは、個々の機器監視装置は、当該機器監視装置の第１通信ネットワーク内における機器の監視情報のみを記憶すればよいので、その記憶容量を比較的小さくすることができる。さらにまた、各機器監視装置は、当該機器監視装置の第１通信ネットワーク内における機器を監視することにおいて個別に独立的に動作するので、一の機器監視装置が故障したとしても機器監視システム全体に波及することがなく、閲覧装置は、リンクのウェブページファイルのリンクを辿ることによって、故障していない機器監視装置からは、機器の監視情報を取得することができる。
【発明を実施するための最良の形態】
【００２１】
以下、本発明に係る実施形態を図面に基づいて説明する。なお、各図において同一の符号を付した構成は、同一の構成であることを示し、その説明を省略する。
（第１の実施形態の構成）
図１は、機器監視システムの構成を示す図である。図２は、機器監視装置の構成を示すブロック図である。図３は、機器監視装置情報を登録する機器監視装置情報テーブルの構成を示す図である。
【００２２】
図１において、機器監視システム１は、１又は複数の下位のネットワーク（以下、「下位ＮＴ」と略記する。）２と、上位のネットワーク（以下、「上位ＮＴ」と略記する。）３とを備えて構成される。下位ＮＴ２は、機器監視装置１１と、１又は複数の機器１２と、機器監視装置１１及び１又は複数の機器１２を通信可能に相互に接続する通信線１３とを備えて構成され、機器監視装置１１によって１又は複数の機器１２から監視情報を収集するためのローカルエリアネットワークである。上位ＮＴ３は、１又は複数の機器監視装置１１と、監視情報を提示する閲覧装置１６と、これら１又は複数の機器監視装置１１及び閲覧装置１６を通信可能に相互に接続する通信線１７とを備えて構成され、下位ＮＴ２で収集された機器１２の監視情報を閲覧装置によってユーザに閲覧させるためのネットワークである。
【００２３】
図１に示す例では、下位ＮＴ２は、３個の下位ＮＴ２−ａ〜２−ｃが示されており、下位ＮＴ２−ａは、機器監視装置１１−ａと、複数の機器１２−ａａ、１２−ａｂ、１２−ａｃと、通信線１３−ａとを備えて構成され、下位ＮＴ２−ｂは、機器監視装置１１−ｂと、複数の機器１２−ｂａ、１２−ｂｂ、１２−ｂｃと、通信線１３−ｂとを備えて構成され、そして、下位ＮＴ２−ｃは、機器監視装置１１−ｃと、複数の機器１２−ｃａ、１２−ｃｂ、１２−ｃｃと、通信線１３−ｃとを備えて構成される。このため、上位ＮＴ３は、３個の機器監視装置１１−ａ〜１１−ｃと、閲覧装置１６と、通信線１７とを備えて構成される。
【００２４】
なお、本明細書において、総称する場合にはアルファベットの添え字を省略した参照符号で示し、個別の構成を指す場合にはアルファベットの添え字を付した参照符号で示す。
【００２５】
機器１２は、機器監視装置１１の監視対象であり、自機に関するデータを通信可能な装置である。機器１２は、例えば、機器監視装置１１と通信線１３を介して通信を行う通信部と、機器１２の機能を実行する機能部とを備えて構成され、機能部で検出したデータや機能部の状態（例えば、電源のオン・オフ、稼動状態、故障状態等）に関するデータを通信部を用いて機器監視装置１１に送信する。機能部は、機器１２が、例えば、電気の使用量を計量する電力メータである場合には、電力の使用量を計量する計量機能である。機器１２は、電力メータの他に、例えば、ガスの使用量を計量するガスメータ、及び、水道の使用量を計量する水道メータ等の計量メータ、照明器具及び空調装置等の住戸環境やオフィス環境等を調整する装置、防犯センサ、煙センサ、温度センサ及び湿度センサ等のセンサ、誘導灯や非常灯等の防災設備等である。
【００２６】
機器監視装置１１は、自機の下位ＮＴ２内における１又は複数の機器１２から監視情報を取得することによって１又は複数の機器１２を集中的に監視すると共に、この収集した機器１２の監視情報をウェブページの形式で閲覧装置１６に送信する装置である。機器監視装置１１は、例えば、図２に示すように、制御部１０１と、記憶部１０２と、上位ネットワーク通信インタフェース部（以下、「上位ＮＴ通信インタフェース部」と略記する。）１０３と、下位ネットワーク通信インタフェース部（以下、「下位ＮＴ通信インタフェース部」と略記する。）１０４と、モード入力部１０５と、これら制御部１０１、上位ＮＴ通信インタフェース部１０２、記憶部１０３、下位ＮＴ通信インタフェース部１０４及びモード入力部１０５は、データを相互に交換することができるようにバス１０５にそれぞれ接続される。
【００２７】
監視情報は、機器監視システム１の監視目的に応じた機器１２に関する情報であり、機器１２の機能部で検出したデータや機能部の状態（例えば、電源のオン・オフ、稼動状態、故障状態等）に関するデータである。例えば、機器監視システム１の監視目的が負荷の消費電力量である場合には、機器１２は、電力メータであり、監視情報は、電力メータの電力量である。また例えば、機器監視システム１の監視目的が照明器具の点灯状態である場合には、機器１２は、照明器具であり、監視情報は、照明器具のオン・オフである。また例えば、機器監視システム１の監視目的がエアーコンディショナの稼動状態である場合には、機器１２は、エアーコンディショナであり、監視情報は、エアーコンディショナの設定温度及び設定風量等である。また例えば、機器監視システム１の監視目的が防犯である場合には、機器１２は、防犯センサであり、監視情報は、防犯センサの発報の有無である。
【００２８】
上位ＮＴ通信インタフェース部１０３は、上位ＮＴ３を介して他の機器監視装置１１や閲覧装置１６と通信を行うための回路であり、制御部１０１からのデータを上位ＮＴ３の通信プロトコルに従った通信信号を生成すると共に上位ＮＴ３からの通信信号を制御部１０１が処理可能な形式のデータに変換する。上位ＮＴ通信インタフェース部１０２は、本実施形態では、例えば、ＨＴＴＰ等の所謂インターネットプロトコル群の通信プロトコルによって通信を行う通信インタフェースカードである。
【００２９】
下位ＮＴ通信インタフェース部１０４は、自機の下位ＮＴ２を介して機器１２と通信を行うための回路であり、制御部１０１からのデータを下位ＮＴ２の通信プロトコルに従った通信信号を生成すると共に下位ＮＴ２からの通信信号を制御部１０１が処理可能な形式のデータに変換する。上位ＮＴ通信インタフェース部１０４は、本実施形態では、例えば、ＲＳ４８５のシリアル通信回路である。
【００３０】
制御部１０１は、例えば、マイクロプロセッサ及びその周辺回路を備えて構成され、機能的に、ウェブサーバ処理部１１１、メイン処理部１１２、リンクファイル処理部１１３、追加処理部１１４、削除処理部１１５、一時離脱処理部１１６、一時離脱復帰処理部１１７、状態確認処理部１１８及びイベント処理部１１９を備えると共に、通信プログラムや制御プログラム等の各プログラムによって記憶部１０２、上位ＮＴ通信インタフェース部１０３、下位ＮＴ通信インタフェース部１０４及びモード入力部１０５を当該機能に応じてそれぞれ制御する。
【００３１】
ウェブサーバ処理部１１１は、閲覧装置１６のブラウザ（Browser）からの要求に従って監視情報記憶部１２２に記憶されている監視情報をウェブページ（Web page）の形式で送信するウェブサーバである。
【００３２】
メイン処理部１１２は、後述の主プログラムを実行することによって、後述の各モードを実行しつつ機器監視装置１１を制御する。
【００３３】
リンクファイル処理部１１３は、後述のリンクファイルサブプログラムを実行することによって、機器監視システム１における機器監視装置１１を相互に関連付けるリンクのウェブページファイル（以下、「リンクファイル」と略記する。）を作成する処理を実行する。
【００３４】
追加処理部１１４は、後述の追加サブプログラムを実行することによって、機器監視システム１に新たに機器監視装置１１が増設された場合に、この新設の機器監視装置１１を既設の他の機器監視装置１１に相互に関連付ける処理を実行する。
【００３５】
削除処理部１１５は、後述の削除サブプログラムを実行することによって、機器監視システム１から既設の機器監視装置１１を撤去する場合に、機器監視システム１に残された機器監視装置１１を相互に関連付ける処理を実行すると共に、必要に応じて、残された機器監視装置１１のうちの何れか１個の機器監視装置１１と閲覧装置１６とを相互に関連付ける処理を実行する。
【００３６】
一時離脱処理部１１６は、後述の一時離脱サブプログラムを実行することによって、当該機器監視装置１１を機器監視システム１から一時的にオフラインにする処理を実行する。
【００３７】
一時離脱復帰処理部１１７は、後述の一時離脱復帰サブプログラムを実行することによって、機器監視システム１から一時的に離脱していた機器監視装置１１を機器監視システム１に復帰させる（オンラインにする）処理を実行する。
【００３８】
状態確認処理部１１８は、機器監視システム１内における他の機器監視装置１１の稼動状態を確認し、その確認結果に応じて機器監視システム１内の機器監視装置１１に通報する処理を実行する。
【００３９】
イベント処理部１１９は、後述のイベントサブプログラムを実行することによって、下位ＮＴ２内の機器１２からイベントの発報があった場合に、イベントの発報があった旨を機器監視システム１内の機器監視装置１１に通報する処理を実行する。
【００４０】
記憶部１０２は、機能的に、当該機器監視装置１１の機器監視装置情報及び機器監視装置情報を登録する機器監視装置情報テーブルを記憶する機器監視装置情報記憶部１２１と、機器１２から取得した機器１２の監視情報を登録する監視情報テーブルを記憶する監視情報記憶部１２２と、リンクファイルを記憶するリンクファイル記憶部１２３とを備えると共に、主プログラム、各サブプログラム、通信プログラム及び制御プログラム等の機器監視装置１１を動作させるための各プログラム（不図示）、及び、自機のＩＰアドレスや自機の機器監視装置情報等の各プログラムの実行に係るデータ（不図示）等を記憶する。記憶部１０２は、例えばワーキングメモリとなるＲＡＭ（Random Access Memory）等の揮発性記憶素子、ＥＥＰＲＯＭ（Electrically Erasable Programmable Read Only Memory）等の書換え可能な不揮発性記憶素子、及び、ＲＯＭ（Read Only Memory）等の不揮発性記憶素子等の半導体記憶素子を備えて構成される。
【００４１】
機器監視装置情報は、リンクファイルを作成するために必要な機器監視装置１１に関する情報である。より具体的には、機器監視装置情報は、機器監視装置１１に割り当てられたＵＲＬ（Uniform Resource Locator）と、機器監視装置１１を識別し特定する識別子とを少なくとも含む情報であり、本実施形態では、機器１２から発報があった旨や当該機器監視装置１１がオフラインである旨を示す下位ネットワークの状態（以下、「下位ＮＴ状態」と略記する。）を含む。
【００４２】
機器監視装置１１の識別子は、例えば、本実施形態では、１個の下位ＮＴ２に１個の機器監視装置１１が含まれることから、当該機器監視装置１１が属する下位ＮＴ２に付された名称であるシステム名が利用される。例えば、下位ＮＴ２−ａのシステム名は、「誘導灯点検システムＡ棟」とであり、下位ＮＴ２−ｂのシステム名は、「照明制御システムＡ棟」とであり、そして、下位ＮＴ２−ｃのシステム名は、「誘導灯点検システムＢ棟」とである。
【００４３】
下位ＮＴ状態は、例えば、本実施形態では、機器監視装置１１が正常に稼動していることを示す正常稼動、機器監視装置１１が属する下位ＮＴ２内の機器１２から発報があった旨を示す警報状態、機器監視装置１１がオフラインであることを示すメンテナンス（maintenance、保守）中、及び、機器監視装置１１が異常であることを示す異常状態である。これら下位ＮＴ状態は、例えば、本実施形態では、フラグで表現されており、例えば、「正常稼動」には「１」が割り当てられ、「警報状態」には「２」が割り当てられ、「メンテナンス中」には「３」が割り当てられ、そして、「異常状態」には「４」が割り当てられている。
【００４４】
機器監視情報テーブルは、例えば、本実施形態では図３に示すように、各レコードを示すＩＤ（Identification）を登録するＩＤフィールド、ＵＲＬを登録するＵＲＬフィールド、システム名を登録するシステム名フィード、及び、下位ＮＴ状態を登録する下位ＮＴ状態フィールドの各フィールドを備えて構成され、システム名ごとにレコードが作成される。ＩＤは、各レコードを識別し特定することができれば、どのような符号でもよいが、本実施形態では、例えば、１から始まる正整数値が利用される。
【００４５】
監視情報テーブルは、機器１２の監視情報を登録するためのテーブルである。監視情報テーブルは、本実施形態では、例えば、機器１２の監視情報を収集した月、日及び時を登録する収集日時フィールド、及び、機器１２の監視情報を登録する機器データフィールドの各フィールドを備えて構成され、機器１２の監視情報を収集した月、日及び時ごとにレコードが作成される。機器データフィールドは、機器１２ごとに当該機器１２の監視情報を登録するために、機器１２ごとにサブフィールドが設けられる。また、監視情報テーブルは、例えば１日、１週間、２週間及び１月等の、仕様により規定される所定の期間だけ機器１２の監視情報が登録可能なようにレコードが用意され、そのためのメモリ領域が記憶部１０２に用意される。
【００４６】
リンクファイルは、各機器監視装置１１を相互に通信可能に関連付けるための情報を記述したウェブページのファイルであり、例えば、本実施形態では、各機器監視装置１１のＵＲＬを用いてリンクを張ったウェブページのファイルである。リンクファイルは、ＨＴＭＬ（Hyper Text Markup Language）やＸＭＬ（Extensible Markup Language）等のマークアップ言語で記述される。
【００４７】
動作モード入力部１０５は、機器監視装置１１の動作モード（以下、「モード」と略記する。）を設定するための入力装置であり、例えば、モードの数に対応した個数のトグルスイッチやスライドスイッチ、及び、モードの数に対応した切り替え数を備えるロータリスイッチ等のスイッチである。モードは、本実施形態では、通常モード、追加モード、削除モード、一時離脱モード及び一時離脱復帰モードである。追加モードは、機器監視システム１に新たに機器監視装置１１を増設するためのモードである。削除モードは、当該機器監視装置１１を機器監視システム１から撤去するためのモードである。一時離脱モードは、当該機器監視装置１１を機器監視システム１から一時的にオフラインにするためのモードである。一時離脱復帰モードは、機器監視システム１から一時的に離脱していた機器監視装置１１を機器監視システム１に復帰させるためのモードである。
【００４８】
図１に戻って、本実施形態では、機器監視装置１１及び機器１２は、ＲＳ４８５のポーリング方式によって通信する。機器監視装置１１は、主局として動作し、機器１２は、従局として動作する。
【００４９】
閲覧装置１６は、機器監視装置１１と通信可能であって監視情報を表示するブラウザを備えたコンピュータである。本実施形態では、上位ＮＴ３は、ＴＣＰ／ＩＰ（Transmission Control Protocol/Internet Protocol）に代表される所謂インターネットプロトコル群が利用されており、インターネット又はイントラネットを構成する。閲覧装置１６は、機器監視装置１１とＨＴＴＰ（Hyper Text Transfer Protocol）を用いて通信している。閲覧装置１６が機器監視装置１１から機器１２の監視情報を受信する場合には、閲覧装置１６は、ＨＴＴＰクライアントとして動作すると共に機器監視装置１１は、ＨＴＴＰサーバとして動作する。
【００５０】
次に、本実施形態の動作について説明する。
（実施形態の動作）
まず、メイン処理部の動作について説明する。図４は、メイン処理部の動作を示すフローチャートである。
【００５１】
図４において、例えば各装置の電源が投入され機器監視システム１の運用が開始されると、機器監視装置１１の制御部１０１におけるメイン処理部１１２は、主プログラムを実行し、所定時間だけ通信信号の受信待ちを行う（Ｓ１１）。所定時間は、上位ＮＴ３に接続可能な機器監視装置１１の個数や上位ＮＴ通信インタフェース部１０３の通信速度等に基づいて仕様により決定され、例えば、１０秒、３０秒及び１分等である。
【００５２】
その結果、通信信号を受信したかあるいはタイムアウト（Timeout）した場合には、メイン処理部１１２は、通信信号を受信している場合に当該通信信号がリンクファイル処理開始要求信号であるか否かを判断する（Ｓ１２）。リンクファイル処理開始要求信号は、機器監視装置１１にリンクファイル処理を開始させる指示を含む通信信号である。
【００５３】
判断の結果、通信信号がリンクファイル処理開始要求信号である場合（ＹＥＳ）には、メイン処理部１１２は、リンクファイル処理部１１３を起動し、リンクファイルサブプログラムによってリンクファイル処理部１１３にリンクファイル処理を実行させ（Ｓ２１）、処理を処理Ｓ１１に戻す。一方、判断の結果、通信信号がリンクファイル処理開始要求信号ではない場合（ＮＯ）には、メイン処理部１１２は、モード入力部１０５に設定されているモードが削除モードであるか否かを判断する（Ｓ１３）。
【００５４】
判断の結果、モード入力部１０５が削除モードに設定されている場合（ＹＥＳ）には、メイン処理部１１２は、削除処理部１１５を起動し、削除サブプログラムによって削除処理部１１５に削除処理を実行させ（Ｓ２２）、処理を終了する。一方、判断の結果、モード入力部１０５が削除モードに設定されていない場合（ＮＯ）には、メイン処理部１１２は、モード入力部１０５に設定されているモードが一時離脱モードであるか否かを判断する（Ｓ１４）。
【００５５】
判断の結果、モード入力部１０５が一時離脱モードに設定されている場合（ＹＥＳ）には、メイン処理部１１２は、一時離脱処理部１１６を起動し、一時離脱サブプログラムによって一時離脱処理部１１６に一時離脱処理を実行させ（Ｓ２３）、処理を処理Ｓ１１に戻す。一方、判断の結果、モード入力部１０５が一時離脱モードに設定されていない場合（ＮＯ）には、メイン処理部１１２は、モード入力部１０５に設定されているモードが一時離脱復帰モードであるか否かを判断する（Ｓ１５）。
【００５６】
判断の結果、モード入力部１０５が一時離脱復帰モードに設定されている場合（ＹＥＳ）には、メイン処理部１１２は、一時離脱復帰処理部１１７を起動し、一時離脱復帰サブプログラムによって一時離脱復帰処理部１１７に一時離脱復帰処理を実行させ（Ｓ２４）、後述の処理Ｓ１８を実行する。一方、判断の結果、モード入力部１０５が一時離脱復帰モードに設定されていない場合（ＮＯ）には、メイン処理部１１２は、モード入力部１０５に設定されているモードが追加モードであるか否かを判断する（Ｓ１６）。
【００５７】
判断の結果、モード入力部１０５が追加モードに設定されている場合（ＹＥＳ）には、メイン処理部１１２は、追加処理部１１４を起動し、追加サブプログラムによって追加処理部１１４に追加処理を実行させ（Ｓ１７）、処理Ｓ１８を実行する。一方、判断の結果、モード入力部１０５が追加モードに設定されていない場合（ＮＯ）には、メイン処理部１１２は、処理Ｓ１８を実行する。
【００５８】
処理Ｓ１８において、メイン処理部１１２は、状態確認処理部１１８を起動し、状態確認サブプログラムによって状態確認処理部１１８に状態確認処理を実行させる。次に、メイン処理部１１２は、イベント処理部１１９を起動し、イベントサブプログラムによってイベント処理部１１９にイベント受信処理を実行させ、処理を処理Ｓ１１に戻す。
【００５９】
ここで、処理Ｓ１１における通信信号の受信待ちにおいて、タイムアウトした場合には、メイン処理部１１２は、処理Ｓ１２、処理Ｓ１３、処理Ｓ１４、処理Ｓ１５、処理Ｓ１６、処理Ｓ１８及び処理Ｓ１９を実行し、処理を処理Ｓ１１に戻すことになる。そして、モード入力部１０５が通常モードに設定されている場合には、メイン処理部１１２は、処理Ｓ１１、処理Ｓ１２、処理Ｓ１３、処理Ｓ１４、処理Ｓ１５及び処理Ｓ１６を経て処理Ｓ１８及び処理Ｓ１９を実行し、処理を処理Ｓ１１に戻す。
【００６０】
このようにメイン処理部１１２が動作することによって、リンクファイル処理開始要求信号を受信した場合にはリンクファイル処理部１１３によってリンクファイル処理が実行され、そして、モード入力部１０５に設定されているモードに応じて、削除処理部１１５、一時離脱処理部１１６、一時離脱復帰処理部１１７、追加処理部１１４、状態確認処理部１１８及びイベント処理部１１９によって、削除処理、一時離脱処理、一時離脱復帰処理、追加処理及び通常処理（他の機器監視装置１１の状態確認処理及び機器１２のイベント受信処理）がそれぞれ実行される。また、通常モードにおいて、閲覧装置１６から監視情報の閲覧が要求されると、ウェブサーバ処理部１１１は、監視情報記憶部１２２に記憶されている監視情報に基づいて、例えば棒グラフや折れ線グラフや円グラフ等の、解析目的に応じてデータの傾向を視認し易い表示方法で表示する監視情報のウェブページファイルを作成し、閲覧装置１６に送信する。
【００６１】
次に、リンクファイル処理部１１３及び追加処理部１１４の動作について説明する。図５は、リンクファイル処理部の動作を示すフローチャートである。図６は、追加処理部の動作を示すフローチャートである。図７は、リンクファイルを説明するための図である。
【００６２】
まず、リンクファイル処理部１１３の動作について説明する。図５において、リンクファイル処理部１１３は、メイン処理部１１２によって起動されると、リンクファイルサブプログラムを実行し、通信信号の受信待ちを行う（Ｓ３１）。
【００６３】
通信信号の受信待ちの結果、通信信号を受信した場合には、リンクファイル処理部１１３は、当該通信信号が機器監視装置情報要求信号であるか否かを判断する（Ｓ３２）。機器監視装置情報要求信号は、この信号を受信した機器監視装置１１に当該機器監視装置１１（自機）の機器監視装置情報の返信を指示する情報を含む通信信号である。
【００６４】
判断の結果、機器監視装置情報要求信号である場合（ＹＥＳ）には、リンクファイル処理部１１３は、自機の機器監視装置情報を含む通信信号（機器監視装置情報信号）を機器監視装置情報要求信号の送信元に返信し（Ｓ３５）、処理を処理Ｓ３１に戻す。このように機器監視装置情報信号を送信した後に処理を処理３１に戻すことによって、リンクファイル処理部１１３は、リンクファイル信号の受信待ち状態になる。一方、判断の結果、機器監視装置情報要求信号ではない場合（ＮＯ）には、リンクファイル処理部１１３は、当該通信信号がリンクファイル信号であるか否かを判断する（Ｓ３３）。リンクファイル信号は、リンクファイルを含む通信信号である。
【００６５】
判断の結果、リンクファイル信号である場合（ＹＥＳ）には、リンクファイル処理部１１３は、当該リンクファイル信号に含まれているリンクファイルでリンクファイル記憶部１２３におけるリンクファイルを置き換えて更新（上書き）し、処理を処理Ｓ３１に戻す。このようにリンクファイルを更新した後に処理を処理３１に戻すことによって、リンクファイル処理部１１３は、リンクファイル処理終了要求信号の受信待ち状態になる。一方、判断の結果、リンクファイル信号ではない場合（ＮＯ）には、リンクファイル処理部１１３は、当該通信信号がリンクファイル処理終了要求信号であるか否かを判断する（Ｓ３４）。リンクファイル処理終了要求信号は、この信号を受信した機器監視装置１１にリンクファイル処理を終了させる指示を含む通信信号である。
【００６６】
判断の結果、リンクファイル処理終了要求信号である場合（ＹＥＳ）には、リンクファイル処理部１１３は、このリンクファイルサブプログラムを終了して、処理をメイン処理部１１２に戻す。一方、判断の結果、リンクファイル処理終了要求信号ではない場合（ＮＯ）には、リンクファイル処理部１１３は、所定時間だけ、リンクファイル処理終了要求信号の受信待ちを行って、タイムアウトすると、リンクファイル処理部１１３は、このリンクファイルサブプログラムを終了して、処理をメイン処理部１１２に戻す（Ｓ３７）。
【００６７】
このように動作することによって、リンクファイル処理部１１３は、自機の機器監視装置情報を機器監視装置情報要求信号の送信元に返信すると共に、受信したリンクファイル信号に含まれているリンクファイルによってリンクファイル記憶部１２３のリンクファイルを更新する。ここで、自機の機器監視装置情報を返信した後リンクファイル処理終了要求信号を受信するまで、リンクファイル信号の受信待機状態となるので、自機がリンクファイルを作成することを禁止することができる。
【００６８】
次に、追加処理部１１４の動作について説明する。図６において、追加処理部１１４は、メイン処理部１１２によって起動されると、追加サブプログラムを実行し、リンクファイル処理開始要求信号を機器監視システム１の上位ＮＴ３に同報通信で送信する（Ｓ４１）。このリンクファイル処理開始要求信号を送信することによって、新設の機器監視装置１１は、機器監視システム１内における既設の他の機器監視装置１１にリンクファイル処理を開始させることができる。このため、機器監視システム１内における既設の他の機器監視装置１１が自機のリンクファイル記憶部１２３におけるリンクファイルの操作が防止される。同報通信は、例えば、ブロードキャスト及びマルチキャストがある。
【００６９】
次に、追加処理部１１４は、機器監視装置情報要求信号を機器監視システム１の上位ＮＴ３に同報通信で送信する（Ｓ４２）。この機器監視装置情報要求信号を送信することによって、この信号を受信した機器監視装置１１は、自機の機器監視装置情報を機器監視装置情報信号で返信するから、機器監視システム１内における既設の他の機器監視装置１１からその機器監視装置の機器監視装置情報を収集することができる。
【００７０】
次に、追加処理部１１４は、所定時間、機器監視システム１における既設の他の機器監視装置１１から機器監視装置情報信号の受信待ちを行う（Ｓ４３）。この所定時間は、機器監視システム１における既設の他の総ての機器監視装置１１から機器監視装置情報信号を受信可能な時間であり、機器監視システム１に接続可能な機器監視装置１１の個数及び通信速度等を考慮して設定される。
【００７１】
機器監視装置情報信号の受信待ちが終了すると、追加処理部１１４は、機器監視装置情報信号を受信したか否かを判断する（Ｓ４４）。判断の結果、１又は複数の機器監視装置情報信号を受信した場合（ＹＥＳ）には、追加処理部１１４は、受信した機器監視装置情報信号に含まれている機器監視装置情報を機器監視情報テーブルに登録すると共に、自機の機器監視装置情報及び受信した機器監視装置情報信号に含まれている機器監視装置情報に基づいてリンクファイルを作成する（Ｓ４５）。
【００７２】
このリンクファイルの作成についてより具体的に説明すると、例えば、図７に示すように、追加処理部１１４は、マークアップ言語、例えば、ＨＴＭＬで、可変部のテキストファイルを作成し、固定部Ａのテキストファイルにこの作成した可変部のテキストファイルを結合し、さらに、固定部Ｂのテキストファイルを結合し、リンクのウェブページファイルを作成する。
【００７３】
ＨＴＭＬは、概略的には、＜＞で囲んだタグと呼ばれる命令を用いて文章の構造を指示し、“開始タグ”、“内容”、“終了タグ”からなるエレメントの入れ子構造でファイルを構成する。固定部Ａは、ＨＴＭＬ文書であることを示すタグのうちその開始タグ＜ｈｔｍｌ＞と、ＨＴＭＬ文書のヘッダ部を示すタグのうちその開始タグ＜ｈｅａｄ＞と、ＨＴＭＬ文書のタイトルを示す＜ｔｉｔｌｅ＞  タイトルの内容  ＜／ｔｉｔｌｅ＞と、ＨＴＭＬ文書のヘッダ部を示すタグのうちその終了タグ＜／ｈｅａｄ＞と、ＨＴＭＬ文書の本体部を示すタグのうちその開始タグ＜ｂｏｄｙ＞とをこの順で備えて構成される。タイトルの内容は、図７に示す例では、“ｘｘｘビル  設備システム”である。
【００７４】
可変部のテキストファイルは、機器監視装置１１を相互に関連付ける情報を記述する部分であり、本実施形態では、さらに下位ＮＴ状態も記述される。可変部のテキストファイルは、リンクファイルの本体部における内容となる。ＨＴＭＬでは、ウェブページとウェブページとを結ぶものをリンクと呼ぶが、本実施形態では、リンクによって機器監視システム１内の全機器監視装置１１を相互に関連づけている。リンクは、起点アンカーから目的地アンカーに向けて張られる。起点アンカーは、本実施形態では、リンク先の機器監視装置１１におけるシステム名であり、目的地アンカーは、リンク先の機器監視装置１１におけるＵＲＬである。リンクは、アンカータグ＜ａ＞で定義され、＜ａ  ｈｒｅｆ＝目的地アンカー＞起点アンカー＜／ａ＞と記述される。このため、受信された機器監視装置情報信号に収容されているＵＲＬが目的地アンカーに記述され、システム名が起点アンカーに記述される。そして、続けて、下位ＮＴ状態も記述され、改行タグ＜ｂｒ＞が記述される。
【００７５】
図７に示す例では、３個の機器監視装置１１にリンクが張られ、可変部のテキストファイルは、＜ａ  ｈｒｅｆ＝“ｈｔｔｐ：／／ｘｘｘ／ａａａ”＞  “誘導灯点検システムＡ棟”＜／ａ＞  正常稼働＜ｂｒ＞と、＜ａ  ｈｒｅｆ＝“ｈｔｔｐ：／／ｙｙｙ／ｂｂｂ”＞  “照明制御システムＡ棟”＜／ａ＞  正常稼働＜ｂｒ＞と、＜ａ  ｈｒｅｆ＝“ｈｔｔｐ：／／ｚｚｚ／ｃｃｃ”＞  “誘導灯点検システムＢ棟”＜／ａ＞  正常稼働＜ｂｒ＞とをこの順で備えて構成される。
【００７６】
固定部Ｂは、ＨＴＭＬ文書の本体部を示すタグのうちその終了タグ＜／ｂｏｄｙ＞と、ＨＴＭＬ文書であることを示すタグのうちその終了タグ＜／ｈｔｍｌ＞とをこの順で備えて構成される。
【００７７】
このようなリンクファイルが機器監視装置１１から閲覧装置１６に表示されると、
誘導灯点検システムＡ棟  正常稼働
照明制御システムＡ棟  正常稼働
誘導灯点検システムＢ棟  正常稼働
と表示され、例えば、誘導灯点検システムＡ棟を操作すると、ｈｔｔｐ：／／ｘｘｘ／ａａａへリンクされる。なお、このＵＲＬは、ＩＰアドレスを含むものでもよい。
【００７８】
次に、追加処理部１１４は、作成したリンクファイルを含むリンクファイル信号を機器監視システム１の上位ＮＴ３に同報通信で送信する（Ｓ４６）。なお、機器監視装置情報信号の返信を受信することによって機器監視システム１内における既設の他の機器監視装置１１を認識することができるので、機器監視システム１内における既設の他の機器監視装置１１へユニキャストで個別に送信してもよい。そして、追加処理部１１４は、リンクファイル処理終了要求信号を機器監視システム１の上位ＮＴ３に同報通信し、この追加サブプログラムを終了して、処理をメイン処理部１１２に戻す（Ｓ４７）。
【００７９】
一方、処理Ｓ４４の判断の結果、機器監視装置情報信号を受信していない場合（ＮＯ）には、追加処理部１１４は、処理Ｓ４７を実行する。
【００８０】
このように動作することによって、追加処理部１１４は、機器監視システム１内における既設の他の機器監視装置１１から機器監視装置情報を収集し、収集した機器監視装置情報に基づいてリンクファイルを作成する。このため、新設の機器監視装置１１によって当該新設の機器監視装置１１のリンクを含む機器監視システム１内における総ての機器監視装置１１にリンクを張ったリンクファイルが作成される。そして、追加処理部１１４は、作成したリンクファイルを機器監視システム１に同報通信で送信するので、機器監視システム１内における総ての機器監視装置１１は、新設の機器監視装置１１のリンクを含む機器監視システム１内における総ての機器監視装置１１にリンクを張ったリンクファイルを人手によらず自動的に所有することができる。このため、閲覧装置１６は、今までのＵＲＬを用いて今までアクセスしていた機器監視装置１１にアクセスすることによってリンクファイルを取得し、リンクを辿ることで新設の機器監視装置１１にアクセスすることができ、新設の機器監視装置１１から当該新設の機器監視装置１１が属する下位ＮＴ２内における機器１２の監視情報を閲覧することができる。
【００８１】
次に、上述したメイン処理部１１２、リンクファイル処理部１１３及び追加処理部１１４の連携動作をより明確にするために、機器監視装置が機器監視システムに新規増設される場合における各機器監視装置の動作を説明する。
【００８２】
図８は、機器監視装置が機器監視システムに新規増設される場合における各機器監視装置の動作を示すシーケンス図である。ここで、図１に示す機器監視システム１において、機器監視装置１１−ａ及び機器監視装置１１−ｂが既設であり、機器監視装置１１−ｃが新規に増設されるものとする。
【００８３】
図４乃至図８において、既設の機器監視システム１に新設の機器監視装置１１−ｃが接続され、新設の機器監視装置１１−ｃにおけるモード入力部１０５が追加モードに設定されると、新設の機器監視装置１１−ｃにおけるメイン処理部１１２は、処理Ｓ１１、処理Ｓ１２、処理Ｓ１３、処理Ｓ１４、処理Ｓ１５、処理Ｓ１６及び処理Ｓ１７を実行し、追加処理部１１４を起動する。新設の機器監視装置１１−ｃにおける追加処理部１１４は、処理Ｓ４１を実行して上位ＮＴ３に同報通信でリンクファイル処理開始要求信号を送信する（Ｃ１１）。
【００８４】
既設の機器監視装置１１−ａ、１１−ｂにおけるメイン処理部１１２は、処理Ｓ１１で通信信号が受信されると処理Ｓ１２で当該通信信号がリンクファイル処理開始要求信号であると判断され、処理Ｓ２１を実行し、リンクファイル処理部１１３を起動する。既設の機器監視装置１１−ａ、１１−ｂにおけるリンクファイル処理部１１３は、処理Ｓ３１を実行して通信信号の受信を待つ（Ｃ１２−ａ、Ｃ１２−ｂ）。
【００８５】
新設の機器監視装置１１−ｃにおける追加処理部１１４は、処理Ｓ４２を実行して上位ＮＴ３に同報通信で機器監視装置情報要求信号を送信し、処理Ｓ４３で機器監視装置情報信号の受信待ちを行う（Ｃ１３）。既設の機器監視装置１１−ａ、１１−ｂにおけるリンクファイル処理部１１３は、処理Ｓ３１で通信信号が受信されると処理Ｓ３２で当該通信信号が機器監視装置情報要求信号であると判断され、処理Ｓ３５を実行して自機の機器監視装置情報を含む機器監視装置情報信号を返信し、処理Ｓ３１を実行して通信信号の受信を待つ（Ｃ１４−ａ、Ｃ１４−ｂ）。
【００８６】
新設の機器監視装置１１−ｃにおける追加処理部１１４は、処理Ｓ４３で機器監視装置情報信号が受信されると処理Ｓ４４で機器監視装置情報信号の受信があったと判断され、処理Ｓ４５を実行して受信した機器監視装置情報信号に含まれる機器監視装置情報でリンクファイルを作成する（Ｃ１５）。そして、新設の機器監視装置１１−ｃにおける追加処理部１１４は、処理Ｓ４６を実行して上位ＮＴ３に同報通信でリンクファイル信号を送信する（Ｃ１６）。
【００８７】
既設の機器監視装置１１−ａ、１１−ｂにおけるリンクファイル処理部１１３は、処理Ｓ３１で通信信号が受信されると処理Ｓ３２を経て処理Ｓ３３で当該通信信号がリンクファイル信号であると判断され、処理Ｓ３６を実行して自機のリンクファイル記憶部１２３のリンクファイルを更新し、処理Ｓ３１を実行して通信信号の受信を待つ（Ｃ１７−ａ、Ｃ１７−ｂ）。
【００８８】
一方、新設の機器監視装置１１−ｃにおける追加処理部１１４は、処理Ｓ４７を実行して上位ＮＴ３に同報通信でリンクファイル処理終了要求信号を送信し（Ｃ１８）、追加サブプログラムを終了する。既設の機器監視装置１１−ａ、１１−ｂにおけるリンクファイル処理部１１３は、処理Ｓ３１で通信信号が受信されると処理Ｓ３２及び処理Ｓ３３を経て処理Ｓ３４で当該通信信号がリンクファイル処理終了要求信号であると判断され、リンクファイルサブプログラムを終了する（Ｃ１９−ａ、Ｃ１９−ｂ）。
【００８９】
次に、削除処理部１１５の動作について説明する。図９は、削除処理部の動作を示すフローチャートである。図９において、削除処理部１１５は、メイン処理部１１２によって起動されると、削除サブプログラムを実行し、リンクファイル処理開始要求信号を機器監視システム１の上位ＮＴ３に同報通信で送信する（Ｓ５１）。このリンクファイル処理開始要求信号を送信することによって、新設の機器監視装置１１は、機器監視システム１内における既設の他の機器監視装置１１にリンクファイル処理を開始させることができる。このため、機器監視システム１内における既設の他の機器監視装置１１が自機のリンクファイル記憶部１２３におけるリンクファイルの操作が防止される。
【００９０】
次に、削除処理部１１５は、リンクファイル記憶部１２３におけるリンクファイルから自機のリンクを削除した新たなリンクファイルを作成する（Ｓ５２）。次に、削除処理部１１５は、この作成したリンクファイルを含むリンクファイル信号を機器監視システム１の上位ＮＴ３に同報通信で送信する（Ｓ５３）。そして、削除処理部１１５は、リンクファイル処理終了要求信号を機器監視システム１の上位ＮＴ３に同報通信し、この削除サブプログラムを終了して、処理をメイン処理部１１２に戻す。
【００９１】
このように動作することによって、削除処理部１１５は、自機が削除されるため、自機のリンクを削除したリンクファイルを作成し、これを機器監視システム１に同報通信で送信する。このため、機器監視システム１内における総ての機器監視装置１１は、削除される機器監視装置１１のリンクが削除され、機器監視システム１内における残余の総ての機器監視装置１１にリンクを張ったリンクファイルを人手によらず自動的に所有することができる。
【００９２】
次に、上述したメイン処理部１１２、リンクファイル処理部１１３及び削除処理部１１５の連携動作をより明確にするために、機器監視装置が機器監視システムから削除される場合における各機器監視装置の動作を説明する。
【００９３】
図１０は、機器監視装置が機器監視システムから削除される場合における各機器監視装置の動作を示すシーケンス図である。ここで、図１に示す機器監視システム１において、機器監視装置１１−ｃが削除されるとする。
【００９４】
図４、図５、図９及び図１０において、機器監視システム１から機器監視装置１１−ｃを削除すべく、削除対象の機器監視装置１１−ｃにおけるモード入力部１０５が削除モードに設定されると、削除対象の機器監視装置１１−ｃにおけるメイン処理部１１２は、処理Ｓ１１、処理Ｓ１２、処理Ｓ１３及び処理Ｓ２２を実行し、削除処理部１１５を起動する。削除対象の機器監視装置１１−ｃにおける削除処理部１１５は、処理Ｓ５１を実行して上位ＮＴ３に同報通信でリンクファイル処理開始要求信号を送信する（Ｃ２１）。
【００９５】
既設の機器監視装置１１−ａ、１１−ｂにおけるメイン処理部１１２は、図８のＣ１２−ａ、Ｃ１２−ｂと同様に、処理Ｓ１１で通信信号が受信されると処理Ｓ１２で当該通信信号がリンクファイル処理開始要求信号であると判断され、処理Ｓ２１を実行し、リンクファイル処理部１１３を起動する。既設の機器監視装置１１−ａ、１１−ｂにおけるリンクファイル処理部１１３は、処理Ｓ３１を実行して通信信号の受信を待つ（Ｃ２２−ａ、Ｃ２２−ｂ）。
【００９６】
削除対象の機器監視装置１１−ｃにおける削除処理部１１５は、処理Ｓ５２を実行して自機のリンクを削除したリンクファイルを作成する（Ｃ２３）。そして、削除対象の機器監視装置１１−ｃにおける削除処理部１１５は、処理Ｓ５３を実行して上位ＮＴ３に同報通信でリンクファイル信号を送信する（Ｃ２４）。
【００９７】
既設の機器監視装置１１−ａ、１１−ｂにおけるリンクファイル処理部１１３は、図８のＣ１７−ａ、Ｃ１７−ｂと同様に動作し、処理Ｓ３１、処理Ｓ３２及び処理Ｓ３３を経て処理Ｓ３６を実行して自機のリンクファイル記憶部１２３のリンクファイルを更新し、処理Ｓ３１を実行して通信信号の受信を待つ（Ｃ２５−ａ、Ｃ２５−ｂ）。
【００９８】
一方、削除対象の機器監視装置１１−ｃにおける追加処理部１１４は、処理Ｓ５４を実行して上位ＮＴ３に同報通信でリンクファイル処理終了要求信号を送信し（Ｃ２６）、削除サブプログラムを終了する。既設の機器監視装置１１−ａ、１１−ｂにおけるリンクファイル処理部１１３は、図８のＣ１９−ａ、Ｃ１９−ｂと同様に動作して、処理Ｓ３１、処理Ｓ３２及び処理Ｓ３３を経て処理Ｓ３４を実行して、リンクファイルサブプログラムを終了する（Ｃ２７−ａ、Ｃ２７−ｂ）。
【００９９】
ところで、上述の削除処理では、削除対象の機器監視装置１１のリンクを削除したリンクファイルを機器監視システム１における各機器監視装置１１に配信することができるが、削除対象の機器監視装置１１が閲覧装置１６が複数の機器監視装置１１中から一の機器監視装置１１にアクセスする場合に最初にアクセスする装置である場合には、閲覧装置１６は、アクセス先を失い、機器監視システム１における各機器監視装置１１にアクセスすることができず、監視情報を閲覧することができなくなってしまう。削除対象の機器監視装置１１におけるＩＰアドレスを機器監視システム１に残る他の機器監視装置１１に振り替える削除処理について説明する。
【０１００】
図１１は、ＩＰアドレスを振り替える場合の削除処理部の動作を示すフローチャートである。図１１において、削除処理部１１５は、メイン処理部１１２によって起動されると、削除サブプログラムを実行し、自機のＩＰアドレスが、閲覧装置１６が最初に直接アクセスするＩＰアドレスであるか否かを判断する（Ｓ６１）。
【０１０１】
この判断は、例えば、閲覧装置１６が複数の機器監視装置１１中から一の機器監視装置１１にアクセスする場合に最初に使用するＩＰアドレスや（閲覧装置直接アクセス用ＩＰアドレス）を既定しておき、機器監視装置１１は、この閲覧装置直接アクセス用ＩＰアドレスを記憶部１０２に記憶しておく。そして、処理Ｓ６１の判断で、自機のＩＰアドレスがこの記憶部１０２に記憶されている閲覧装置直接アクセス用ＩＰアドレスと一致しているか否かを判断することによって行うことができる。
【０１０２】
判断の結果、閲覧装置１６が最初に直接アクセスするＩＰアドレスではない場合（ＮＯ）には、削除処理部１１５は、後述の処理Ｓ６３を実行する。一方、判断の結果、閲覧装置１６が最初に直接アクセスするＩＰアドレスである場合（ＹＥＳ）には、削除処理部１１５は、ＩＰアドレスの交換処理を実行し（Ｓ６２）、処理Ｓ６３を実行する。
【０１０３】
このＩＰアドレスの交換処理をより具体的に以下に説明する。例えば、制御部１０１に機能的にＩＰアドレスの交換処理を実行するＩＰアドレス交換処理部（不図示）をさらに設ける。そして、削除対象の機器監視装置１１におけるＩＰアドレス交換処理部は、削除処理部１１５によって起動され、まず、機器監視システム１内から任意の機器監視装置１１を選択する。この選択は、例えば、機器監視情報テーブルから任意に、例えば、ＩＤ＝１のレコードにおける機器監視装置１１を選択するることによって行うことができる。
【０１０４】
次に、削除対象の機器監視装置１１におけるＩＰアドレス交換処理部は、選択した機器監視装置１１へ、ＩＰアドレスの交換を指示する旨の通信信号（ＩＰアドレス交換要求信号）を送信する。ＩＰアドレス交換要求信号を受信した機器監視装置１１におけるＩＰアドレス交換処理部は、応答信号、例えば、ＡＣＫ信号を返信する。
【０１０５】
この応答信号を受信すると、削除対象の機器監視装置１１におけるＩＰアドレス交換処理部は、自機のＩＰアドレスを含む通信信号（交換ＩＰアドレス信号）をこの選択した機器監視装置１１に送信する。この交換ＩＰアドレス信号を受信した機器監視装置１１におけるＩＰアドレス交換処理部は、自機のＩＰアドレスを含む通信信号（交換ＩＰアドレス返信信号）を返信し、上位ＮＴ通信インタフェース部１０３及びこれに関連するソフトウェアのインターフェースを停止し、受信した交換ＩＰアドレス信号に収容されているＩＰアドレスで自機のＩＰアドレスを書換え、そして、上位ＮＴ通信インタフェース部１０３及びこれに関連するソフトウェアのインターフェースを再起動する。自機のＩＰアドレスは、通常、例えば、通信を行う上で必要な情報を集めた通信用の設定ファイル等に書き込まれている。
【０１０６】
一方、この交換ＩＰアドレス返信信号を受信した削除対象の機器監視装置１１におけるＩＰアドレス交換処理部は、上位ＮＴ通信インタフェース部１０３及びこれに関連するソフトウェアのインターフェースを停止し、受信した交換ＩＰアドレス返信信号に収容されているＩＰアドレスで自機のＩＰアドレスを書換え、そして、上位ＮＴ通信インタフェース部１０３及びこれに関連するソフトウェアのインターフェースを再起動する。
【０１０７】
このように動作することによって削除対象の機器監視装置１１は、機器監視システム１内における任意の機器監視装置１１との間でそのＩＰアドレスを相互に交換する。
【０１０８】
次に、処理Ｓ６３において、削除処理部１１５は、リンクファイル処理開始要求信号を機器監視システム１の上位ＮＴ３に同報通信で送信する。
【０１０９】
ＩＰアドレスを交換してしまったので、次に、削除処理部１１４は、機器監視装置情報要求信号を機器監視システム１の上位ＮＴ３に同報通信で送信する（Ｓ６４）。この機器監視装置情報要求信号を送信することによって、この信号を受信した機器監視装置１１は、自機の機器監視装置情報を機器監視装置情報信号で返信するから、ＩＰアドレス交換後における、機器監視システム１内の既設の他の機器監視装置１１からその機器監視装置の機器監視装置情報を収集することができる。
【０１１０】
次に、削除処理部１１５は、所定時間、機器監視システム１における既設の他の機器監視装置１１から機器監視装置情報信号の受信待ちを行う（Ｓ６５）。機器監視装置情報信号の受信待ちが終了すると、削除処理部１１５は、機器監視装置情報信号を受信したか否かを判断する（Ｓ６６）。判断の結果、１又は複数の機器監視装置情報信号を受信した場合（ＹＥＳ）には、削除処理部１１５は、自機の機器監視装置情報を除いて、受信した機器監視装置情報信号に含まれている機器監視装置情報に基づいてリンクファイルを作成する（Ｓ６７）。これによってＩＰアドレスの交換後における新たなリンクファイルが作成される。
【０１１１】
次に、削除処理部１１５は、作成したリンクファイルを含むリンクファイル信号を機器監視システム１の上位ＮＴ３に同報通信で送信する（Ｓ６８）。そして、削除処理部１１５は、リンクファイル処理終了要求信号を機器監視システム１の上位ＮＴ３に同報通信し、この追加サブプログラムを終了して、処理をメイン処理部１１２に戻す（Ｓ６９）。一方、処理Ｓ６６の判断の結果、機器監視装置情報信号を受信していない場合（ＮＯ）には、削除処理部１１５は、処理Ｓ６９を実行する。
【０１１２】
このように動作することによって、削除処理部１１５は、自機が削除される場合には、ＩＰアドレスを交換して、交換後の他の機器監視装置１１における機器監視装置情報のみに基づいてリンクファイルを作成し、これを機器監視システム１に同報通信で送信する。このため、機器監視システム１内における総ての機器監視装置１１は、削除される機器監視装置１１のリンクを含まない、ＩＰアドレスの交換後の機器監視システム１内における残余の総ての機器監視装置１１にリンクを張ったリンクファイルを人手によらず自動的に所有することができる。そして、自機が閲覧装置１６から直接アクセスされる機器監視装置１１である場合には、機器監視システム１における他の一の機器監視装置１１とＩＰアドレスを交換する。このため、閲覧装置１６は、今までのＩＰアドレスを用いて今までと同様に機器監視装置１１にアクセスすることによって、この機器監視装置１１から各機器監視装置１１にアクセスすることができ、各機器監視装置１１が属する下位ＮＴ２内における機器１２の監視情報を閲覧することができる。
【０１１３】
次に、上述したメイン処理部１１２、リンクファイル処理部１１３及びＩＰアドレスの交換を行う削除処理部１１５の連携動作をより明確にするために、機器監視装置が機器監視システムから削除される場合における各機器監視装置の動作を説明する。
【０１１４】
図１２は、ＩＰアドレスを振り替えて機器監視装置が機器監視システムから削除される場合における各機器監視装置の動作を示すシーケンス図である。ここで、図１に示す機器監視システム１において、機器監視装置１１−ｃが削除され、ＩＰアドレスの交換が必要であるとする。
【０１１５】
図４、図５、図１１及び図１２において、機器監視システム１から機器監視装置１１−ｃを削除すべく、削除対象の機器監視装置１１−ｃにおけるモード入力部１０５が削除モードに設定されると、削除対象の機器監視装置１１−ｃにおけるメイン処理部１１２は、処理Ｓ１１、処理Ｓ１２、処理Ｓ１３及び処理Ｓ２２を実行し、削除処理部１１５を起動する。削除対象の機器監視装置１１−ｃにおける削除処理部１１５は、処理Ｓ６１を実行してＩＰアドレスの交換が必要であると判断し（Ｃ３１）、処理Ｓ６２を実行してＩＰアドレスの交換を行う（Ｃ３２）。図１２では、削除対象の機器監視装置１１−ｃは、機器監視装置１１−ａとＩＰアドレスの交換を行う場合が示されている。そして、ＩＰアドレス交換後の各機器監視装置１１の機器監視装置情報を収集すべく、削除対象の機器監視装置１１−ｃにおける削除処理部１１５は、処理Ｓ６３を実行して上位ＮＴ３に同報通信でリンクファイル処理開始要求信号を送信する（Ｃ３３）。
【０１１６】
既設の機器監視装置１１−ａ、１１−ｂにおけるメイン処理部１１２は、図８のＣ１２−ａ、Ｃ１２−ｂと同様に、処理Ｓ１１で通信信号が受信されると処理Ｓ１２で当該通信信号がリンクファイル処理開始要求信号であると判断され、処理Ｓ２１を実行し、リンクファイル処理部１１３を起動する。既設の機器監視装置１１−ａ、１１−ｂにおけるリンクファイル処理部１１３は、処理Ｓ３１を実行して通信信号の受信を待つ（Ｃ３４−ａ、Ｃ３４−ｂ）。
【０１１７】
削除対象の機器監視装置１１−ｃにおける削除処理部１１５は、処理Ｓ６４を実行して上位ＮＴ３に同報通信で機器監視装置情報要求信号を送信し、処理Ｓ６５で機器監視装置情報信号の受信待ちを行う（Ｃ３５）。既設の機器監視装置１１−ａ、１１−ｂにおけるリンクファイル処理部１１３は、図８のＣ１７−ａ、Ｃ１７−ｂと同様に動作し、処理Ｓ３１及び処理Ｓ３２を経て処理Ｓ３５を実行して自機の機器監視装置情報を含む機器監視装置情報信号を返信し、処理Ｓ３１を実行して通信信号の受信を待つ（Ｃ２６−ａ、Ｃ３６−ｂ）。
【０１１８】
削除対象の機器監視装置１１−ｃにおける削除処理部１１５は、処理Ｓ６５で機器監視装置情報信号が受信されると処理Ｓ６６で機器監視装置情報信号の受信があったと判断され、処理Ｓ６７を実行して、自機の機器監視装置情報を用いることなく、受信した機器監視装置情報信号に含まれる機器監視装置情報のみでリンクファイルを作成する（Ｃ３７）。そして、削除対象の機器監視装置１１−ｃにおける削除処理部１１５は、処理Ｓ４８を実行して上位ＮＴ３に同報通信でリンクファイル信号を送信する（Ｃ３８）。
【０１１９】
既設の機器監視装置１１−ａ、１１−ｂにおけるリンクファイル処理部１１３は、図８のＣ１７−ａ、Ｃ１７−ｂと同様に動作し、処理Ｓ３１、処理Ｓ３２及び処理Ｓ３３を経て処理Ｓ３６を実行して自機のリンクファイル記憶部１２３のリンクファイルを更新し、処理Ｓ３１を実行して通信信号の受信を待つ（Ｃ３９−ａ、Ｃ３９−ｂ）。
【０１２０】
一方、削除対象の機器監視装置１１−ｃにおける削除処理部１１５は、処理Ｓ６９を実行して上位ＮＴ３に同報通信でリンクファイル処理終了要求信号を送信し（Ｃ４０）、削除サブプログラムを終了する。既設の機器監視装置１１−ａ、１１−ｂにおけるリンクファイル処理部１１３は、図８のＣ１９−ａ、Ｃ１９−ｂと同様に動作して、処理Ｓ３１、処理Ｓ３２及び処理Ｓ３３を経て処理Ｓ３４を実行して、リンクファイルサブプログラムを終了する（Ｃ４１−ａ、Ｃ４１−ｂ）。
【０１２１】
次に、一時離脱処理部１１６の動作について説明する。図１３は、一時離脱処理部の動作を示すフローチャートである。図１３において、一時離脱処理部１１６は、メイン処理部１１２によって起動されると、一時離脱サブプログラムを実行し、自機のＩＰアドレスが、閲覧装置１６が直接アクセスするＩＰアドレス（閲覧装置直接アクセス用ＩＰアドレス）であるか否かを判断する（Ｓ７１）。
【０１２２】
判断の結果、閲覧装置直接アクセス用ＩＰアドレスではない場合（ＮＯ）には、一時離脱処理部１１６は、後述の処理Ｓ７３を実行する。一方、判断の結果、閲覧装置直接アクセス用ＩＰアドレスである場合（ＹＥＳ）には、一時離脱処理部１１６は、上述したＩＰアドレスの交換処理を実行し（Ｓ７２）、処理Ｓ７３を実行する。
【０１２３】
次に、処理Ｓ７３において、一時離脱処理部１１６は、リンクファイル処理開始要求信号を機器監視システム１の上位ＮＴ３に同報通信で送信する。
【０１２４】
次に、一時離脱処理部１１６は、自機の機器監視装置１１がオフラインである旨を示すようにリンクファイルを作成する（Ｓ７４）。本実施形態では、下位ＮＴ状態を示すフラグを「メンテナンス中」である「３」に書き換える。これによって自機がオフラインとなり一時的に機器監視システム１から離脱していることを示す新たなリンクファイルが作成される。
【０１２５】
次に、一時離脱処理部１１６は、作成したリンクファイルを含むリンクファイル信号を機器監視システム１の上位ＮＴ３に同報通信で送信する（Ｓ７５）。一時離脱処理部１１６は、リンクファイル処理終了要求信号を機器監視システム１の上位ＮＴ３に同報通信し、この一時離脱サブプログラムを終了して、処理をメイン処理部１１２に戻す（Ｓ７６）。
【０１２６】
このように動作することによって、一時離脱処理部１１６は、自機が一時的に機器監視システム１から離脱していることを示すリンクファイルを作成し、これを機器監視システム１に同報通信で送信する。このため、機器監視システム１内における総ての機器監視装置１１は、当該機器監視装置１１が機器監視システム１から一時的に離脱していることを示すリンクファイルを人手によらず自動的に所有することができる。このため、ユーザは、閲覧措置１６を用いて機器監視装置１１から取得したウェブページを閲覧することによって、当該機器監視装置１１が機器監視システム１から一時的に離脱していることを認識し得る。
【０１２７】
次に、上述したメイン処理部１１２、リンクファイル処理部１１３及び一時離脱処理部１１６の連携動作をより明確にするために、機器監視装置が機器監視システムから一時的に離脱される場合における各機器監視装置の動作を説明する。
【０１２８】
図１４は、機器監視装置が機器監視システムから一時的に離脱される場合における各機器監視装置の動作を示すシーケンス図である。ここで、図１に示す機器監視システム１において、機器監視装置１１−ｃが一時的に離脱されるとし、この一時的に離脱する機器監視装置１１−ｃが閲覧装置１６によって直接アクセスされるために、ＩＰアドレスの交換が必要であるとする。
【０１２９】
図４、図５、図１３及び図１４において、機器監視システム１から機器監視装置１１−ｃを一時的に離脱すべく、離脱対象の機器監視装置１１−ｃにおけるモード入力部１０５が一時離脱モードに設定されると、離脱対象の機器監視装置１１−ｃにおけるメイン処理部１１２は、処理Ｓ１１、処理Ｓ１２、処理Ｓ１３、処理Ｓ１４及び処理Ｓ２３を実行し、一時離脱処理部１１６を起動する。離脱対象の機器監視装置１１−ｃにおける一時離脱処理部１１６は、処理Ｓ７１を実行してＩＰアドレスの交換が必要であると判断し（Ｃ５１）、処理Ｓ７２を実行してＩＰアドレスの交換を行う（Ｃ５２）。図１４では、削除対象の機器監視装置１１−ｃは、機器監視装置１１−ａとＩＰアドレスの交換を行う場合が示されている。そして、離脱対象の機器監視装置１１−ｃにおける一時離脱処理部１１６は、処理Ｓ７３を実行して上位ＮＴ３に同報通信でリンクファイル処理開始要求信号を送信する（Ｃ５３）。
【０１３０】
既設の機器監視装置１１−ａ、１１−ｂにおけるメイン処理部１１２は、図８のＣ１２−ａ、Ｃ１２−ｂと同様に、処理Ｓ１１で通信信号が受信されると処理Ｓ１２で当該通信信号がリンクファイル処理開始要求信号であると判断され、処理Ｓ２１を実行し、リンクファイル処理部１１３を起動する。既設の機器監視装置１１−ａ、１１−ｂにおけるリンクファイル処理部１１３は、処理Ｓ３１を実行して通信信号の受信を待つ（Ｃ５４−ａ、Ｃ５４−ｂ）。
【０１３１】
離脱対象の機器監視装置１１−ｃにおける一時離脱処理部１１６は、処理Ｓ７４を実行して、自機の機器監視装置１１−ｃの下位ＮＴ状態のフラグを「３」に変え、下位ＮＴ状態が「メンテナンス中」に書き換えたリンクファイルを作成する（Ｃ５５）。そして、離脱対象の機器監視装置１１−ｃにおける一時離脱処理部１１６は、処理Ｓ７５を実行して上位ＮＴ３に同報通信でリンクファイル信号を送信する（Ｃ５６）。
【０１３２】
既設の機器監視装置１１−ａ、１１−ｂにおけるリンクファイル処理部１１３は、図８のＣ１７−ａ、Ｃ１７−ｂと同様に動作し、処理Ｓ３１、処理Ｓ３２及び処理Ｓ３３を経て処理Ｓ３６を実行して自機のリンクファイル記憶部１２３のリンクファイルを更新し、処理Ｓ３１を実行して通信信号の受信を待つ（Ｃ５７−ａ、Ｃ５７−ｂ）。
【０１３３】
一方、離脱対象の機器監視装置１１−ｃにおける一時離脱処理部１１６は、処理Ｓ７６を実行して上位ＮＴ３に同報通信でリンクファイル処理終了要求信号を送信し（Ｃ５８）、一時離脱サブプログラムを終了する。既設の機器監視装置１１−ａ、１１−ｂにおけるリンクファイル処理部１１３は、図８のＣ１９−ａ、Ｃ１９−ｂと同様に動作して、処理Ｓ３１、処理Ｓ３２及び処理Ｓ３３を経て処理Ｓ３４を実行して、リンクファイルサブプログラムを終了する（Ｃ５９−ａ、Ｃ５９−ｂ）。
【０１３４】
次に、一時離脱復帰処理部１１７の動作について説明する。図１５は、一時離脱復帰処理部の動作を示すフローチャートである。図１５において、一時離脱処復帰理部１１７は、メイン処理部１１２によって起動されると、一時離脱復帰サブプログラムを実行し、リンクファイル処理開始要求信号を機器監視システム１の上位ＮＴ３に同報通信で送信する（Ｓ８１）。次に、一時離脱処理部１１６は、自機の機器監視装置１１がオンラインに為され正常に稼動している旨を示すようにリンクファイルを作成する（Ｓ８２）。本実施形態では、下位ＮＴ状態を示すフラグを「１」に変え、下位ＮＴ状態を「正常稼動」に書き換える。これによって自機がオンラインとなり正常稼動で機器監視システム１に復帰していることを示す新たなリンクファイルが作成される。
【０１３５】
次に、一時離脱復帰処理部１１７は、作成したリンクファイルを含むリンクファイル信号を機器監視システム１の上位ＮＴ３に同報通信で送信する（Ｓ８３）。そして、一時離脱復帰処理部１１７は、リンクファイル処理終了要求信号を機器監視システム１の上位ＮＴ３に同報通信し、この一時離脱復帰サブプログラムを終了して、処理をメイン処理部１１２に戻す（Ｓ８４）。
【０１３６】
このように動作することによって、一時離脱復帰処理部１１７は、自機が一時的な離脱から正常稼動状態で復帰したことを示すリンクファイルを作成し、これを機器監視システム１に同報通信で送信する。このため、機器監視システム１内における総ての機器監視装置１１は、当該機器監視装置１１が機器監視システム１に正常稼動していることを示すリンクファイルを人手によらず自動的に所有することができる。このため、ユーザは、閲覧措置１６を用いて機器監視装置１１から取得したウェブページを閲覧することによって、一時的に離脱していた当該機器監視装置１１が機器監視システム１に正常稼動で復帰していることを認識することができる。
【０１３７】
ここで、上述したメイン処理部１１２、リンクファイル処理部１１３及び一時離脱復帰処理部１１７の連携動作は、Ｃ５５で復帰を示すリンクファイルを作成することを除き、図１４を用いて説明したＣ５３乃至Ｃ５９と同様であるので、その説明を省略する。
【０１３８】
次に、状態確認処理部１１８の動作について説明する。図１６は、状態確認処理部の動作を示すフローチャートである。図１６において、状態確認処理部１１８は、メイン処理部１１２によって起動されると、状態確認サブプログラムを実行し、他の機器監視装置１１の状態を確認する通信信号（状態確認信号）を送信してその応答によって、機器監視システム１内の他の機器監視装置１１が異常であるか否かの確認を行う（Ｓ９１）。この状態確認信号は、例えば、ｐｉｎｇ（ピング）である。ピングは、例えば、ＩＣＭＰのエコーメッセージが利用され、このエコーメッセージを受信した他の機器監視装置１１がエコー要求に応じて応答メッセージを返信する。ここで、処理Ｓ１８は、主プログラム中で必ず行われる処理であるから、この他の機器監視装置１１の異常の確認は、定期的に実行されることになる。
【０１３９】
状態確認処理部１１８は、他の機器監視装置１１の異常確認の結果を判断する（Ｓ９２）。判断の結果、他の機器監視装置１１が異常である場合（ＹＥＳ）には、状態確認処理部１１８は、リンクファイル処理開始要求信号を機器監視システム１の上位ＮＴ３に同報通信で送信する（Ｓ９３）。次に、状態確認処理部１１８は、異常と判断された機器監視装置１１が異常である旨を示すようにリンクファイルを作成し（Ｓ９３）、後述の処理Ｓ９５を実行する。本実施形態では、下位ＮＴ状態を示すフラグを「４」に変え、下位ＮＴ状態を「異常状態」に書き換える。これによって機器監視装置１１が異常であることを示す新たなリンクファイルが作成される。なお、当該異常状態と判断された機器監視装置１１と通信を行うことができないという意味で、異常状態とメンテナンス中と特に区別する必要がない場合には、異常状態をメンテナンス中で代用してもよい。
【０１４０】
一方、処理Ｓ９２の判断の結果、他の機器監視装置１１が異常ではない場合（ＮＯ）には、状態確認処理部１１８は、復旧した機器監視装置１１があるか否かを判断する（Ｓ９７）。この判断は、例えば、他の機器監視装置１１の異常確認の結果と、リンクファイル記憶部１２３に記憶されているリンクファイルの下位ＮＴ状態とを比較することによって行うことができる。即ち、リンクファイル記憶部１２３に記憶されているリンクファイルの下位ＮＴ状態のフラグが「異常状態」を示す「４」であって、処理Ｓ９１で実行した状態確認の結果が正常状態と判断される場合には、復旧と判断される。次に、状態確認処理部１１８は、リンクファイル処理開始要求信号を機器監視システム１の上位ＮＴ３に同報通信で送信する（Ｓ９８）。次に、状態確認処理部１１８は、復旧と判断された機器監視装置１１が正常稼動である旨を示すようにリンクファイルを作成し（Ｓ９９）、処理Ｓ９５を実行する。本実施形態では、下位ＮＴ状態を示すフラグを「１」に変え、下位ＮＴ状態を「正常稼動」に書き換える。これによって機器監視装置１１が正常稼動に復旧したことを示す新たなリンクファイルが作成される。
【０１４１】
処理Ｓ９５において、状態確認処理部１１８は、作成したリンクファイルを含むリンクファイル信号を機器監視システム１の上位ＮＴ３に同報通信で送信する。そして、状態確認処理部１１８は、リンクファイル処理終了要求信号を機器監視システム１の上位ＮＴ３に同報通信し、この状態確認サブプログラムを終了して、処理をメイン処理部１１２に戻す（Ｓ９６）。
【０１４２】
このように動作することによって、状態確認処理部１１８は、機器監視システム１内の他の機器監視装置１１の異常状態を調査することができ、その調査結果に応じたリンクファイルを作成し、これを機器監視システム１に同報通信で送信する。このため、機器監視システム１内における総ての機器監視装置１１は、機器監視装置１１の異常状態や異常状態からの復旧を示すリンクファイルを自動的に所有することができる。このため、ユーザは、閲覧措置１６を用いて機器監視装置１１から取得したウェブページを閲覧することによって、略リアルタイムで各機器監視装置１１の異常状態又は正常稼動の別を認識し得る。
【０１４３】
次に、上述したメイン処理部１１２、リンクファイル処理部１１３及び状態確認処理部１１８の連携動作をより明確にするために、機器監視システム１内の機器監視装置１１に異常が生じた場合における各機器監視装置の動作を説明する。
【０１４４】
図１７は、機器監視装置が他の機器監視装置の異常を検出する場合における各機器監視装置の動作を示すシーケンス図である。ここで、図１に示す機器監視システム１において、機器監視装置１１−ｂに異常が生じ、この異常を機器監視装置１１−ｃが検出するものとする。また、その後、機器監視装置１１−ｂの異常が解消し、これを機器監視装置１１−ｃが検出するものとする。
【０１４５】
図４、図５、図１６及び図１７において、メイン処理部１１２によって起動されると、機器監視装置１１−ｃにおける状態確認処理部１１８は、処理Ｓ９１を実行して状態確認信号を送信することによって他の機器監視装置１１−ａ、１１−ｂの異常確認を実行する。この例では、機器監視装置１１−ａからは返信（応答）があるが、機器監視装置１１−ｂは、異常状態であるので、機器監視装置１１−ｂからは返信（応答）がない（Ｃ６１）。そのため、状態確認処理部１１８は、処理Ｓ９２で異常と判断され、処理Ｓ９２を実行して上位ＮＴ３に同報通信でリンクファイル処理開始要求信号を送信する（Ｃ６２）。
【０１４６】
既設の機器監視装置１１−ａにおけるメイン処理部１１２は、図８のＣ１２−ａ、Ｃ１２−ｂと同様に、処理Ｓ１１で通信信号が受信されると処理Ｓ１２で当該通信信号がリンクファイル処理開始要求信号であると判断され、処理Ｓ２１を実行し、リンクファイル処理部１１３を起動する。機器監視装置１１−ａにおけるリンクファイル処理部１１３は、処理Ｓ３１を実行して通信信号の受信を待つ（Ｃ６３−ａ）。一方、既設の機器監視装置１１−ｂは、異常状態であるので、機器監視装置１１−ｂでは、リンクファイル処理開始要求信号に応じた処理は、行われない。
【０１４７】
機器監視装置１１−ｃにおける状態確認処理部１１８は、処理Ｓ９４を実行して、異常状態であると判断した機器監視装置１１−ｂの下位ＮＴ状態のフラグを「４」に変え、下位ＮＴ状態を「異常状態」に書き換えたリンクファイルを作成する（Ｃ６４）。そして、機器監視装置１１−ｃにおける状態確認処理部１１８は、処理Ｓ９５を実行して上位ＮＴ３に同報通信でリンクファイル信号を送信する（Ｃ６５）。
【０１４８】
機器監視装置１１−ａにおけるリンクファイル処理部１１３は、図８のＣ１７−ａ、Ｃ１７−ｂと同様に動作し、処理Ｓ３１、処理Ｓ３２及び処理Ｓ３３を経て処理Ｓ３６を実行して自機のリンクファイル記憶部１２３のリンクファイルを更新し、処理Ｓ３１を実行して通信信号の受信を待つ（Ｃ６６−ａ）。一方、機器監視装置１１−ｂは、異常状態であるので、機器監視装置１１−ｂでは、リンクファイル信号に応じた処理は、行われない。
【０１４９】
一方、機器監視装置１１−ｃにおける状態確認処理部１１８は、処理Ｓ９６を実行して上位ＮＴ３に同報通信でリンクファイル処理終了要求信号を送信し（Ｃ６７）、状態確認サブプログラムを終了する。機器監視装置１１−ａにおけるリンクファイル処理部１１３は、図８のＣ１９−ａ、Ｃ１９−ｂと同様に動作して、処理Ｓ３１、処理Ｓ３２及び処理Ｓ３３を経て処理Ｓ３４を実行して、リンクファイルサブプログラムを終了する（Ｃ６８−ａ）。一方、機器監視装置１１−ｂは、異常状態であるので、機器監視装置１１−ｂでは、リンクファイル処理終了要求信号に応じた処理は、行われない。
【０１５０】
そして、機器監視装置１１−ｃのメイン処理部１１２は、主プログラムを実行して処理Ｓ１１、処理Ｓ１２、処理Ｓ１３、処理Ｓ１４、処理Ｓ１５、処理Ｓ１６及び処理Ｓ１８が実行され、状態確認処理部１１８を起動する。
【０１５１】
メイン処理部１１２によって起動されると、機器監視装置１１−ｃにおける状態確認処理部１１８は、処理Ｓ９１を実行して状態確認信号を送信することによって他の機器監視装置１１−ａ、１１−ｂの異常確認を実行する。ここで、異常であった機器監視装置１１−ｂが復旧し、正常状態になっているので、機器監視装置１１−ａ及び機器監視装置１１−ｂから返信（応答）される（Ｃ７１）。そのため、状態確認処理部１１８は、処理Ｓ９２で異常が発見されないと判断し、処理Ｓ９７を実行して異常状態から復旧した他の機器監視装置１１−ａ、１１−ｂがあるか否かを判断する（Ｃ７２）。
【０１５２】
ここで、機器監視装置１１−ｂが異常状態から復旧したと判断され、状態確認処理部１１８は、処理Ｓ９８を実行して上位ＮＴ３に同報通信でリンクファイル処理開始要求信号を送信する（Ｃ７３）。
【０１５３】
機器監視装置１１−ｂは、復旧したので、機器監視装置１１−ａ、１１−ｂにおけるメイン処理部１１２は、図８のＣ１２−ａ、Ｃ１２−ｂと同様に、処理Ｓ１１で通信信号が受信されると処理Ｓ１２で当該通信信号がリンクファイル処理開始要求信号であると判断され、処理Ｓ２１を実行し、リンクファイル処理部１１３を起動する。機器監視装置１１−ａ、１１−ｂにおけるリンクファイル処理部１１３は、処理Ｓ３１を実行して通信信号の受信を待つ（Ｃ７４−ａ、Ｃ７４−ｂ）。
【０１５４】
機器監視装置１１−ｃにおける状態確認処理部１１８は、処理Ｓ９９を実行して、異常状態であると判断した機器監視装置１１−ｂの下位ＮＴ状態のフラグ「１」に変え、下位ＮＴ状態を「正常稼動」に書き換えたリンクファイルを作成する（Ｃ７５）。そして、機器監視装置１１−ｃにおける状態確認処理部１１８は、処理Ｓ９５を実行して上位ＮＴ３に同報通信でリンクファイル信号を送信する（Ｃ７６）。
【０１５５】
機器監視装置１１−ａ、１１−ｂにおけるリンクファイル処理部１１３は、図８のＣ１７−ａ、Ｃ１７−ｂと同様に動作し、処理Ｓ３１、処理Ｓ３２及び処理Ｓ３３を経て処理Ｓ３６を実行して自機のリンクファイル記憶部１２３のリンクファイルを更新し、処理Ｓ３１を実行して通信信号の受信を待つ（Ｃ７７−ａ、Ｃ７７−ｂ）。
【０１５６】
一方、機器監視装置１１−ｃにおける状態確認処理部１１８は、処理Ｓ９６を実行して上位ＮＴ３に同報通信でリンクファイル処理終了要求信号を送信し（Ｃ７８）、状態確認サブプログラムを終了する。機器監視装置１１−ａ、１１−ｂにおけるリンクファイル処理部１１３は、図８のＣ１９−ａ、Ｃ１９−ｂと同様に動作して、処理Ｓ３１、処理Ｓ３２及び処理Ｓ３３を経て処理Ｓ３４を実行して、リンクファイルサブプログラムを終了する（Ｃ７９−ａ、Ｃ７９−ｂ）。
【０１５７】
次に、イベント処理部１１９の動作について説明する。図１８は、イベント処理部の動作を示すフローチャートである。図１８において、イベント処理部１１９は、メイン処理部１１２によって起動されると、イベントサブプログラムを実行し、当該機器監視装置１１が属する下位ＮＴ２内における機器１２からイベントの発報があった否かを判断する（Ｓ１０１）。機器１２は、通常、機器監視装置１１から要求があってから監視情報を機器監視装置１１に返信するものであるが、このイベントは、機器監視装置１１からの要求がなくても機器１２が自ら機器監視装置１１に通知する監視情報である。例えば、機器１２がセンサである場合では、検知対象を検知したことがイベントである。また例えば、機器１２が空調装置である場合では、その故障や通常の稼動状態ではあり得ない状態（例えば、異常高温や過電流等）がイベントである。
【０１５８】
判断の結果、機器１２からイベントの発報があった場合（ＹＥＳ）には、イベント処理部１１９は、リンクファイル処理開始要求信号を機器監視システム１の上位ＮＴ３に同報通信で送信する（Ｓ１０２）。次に、イベント処理部１１９は、当該機器監視装置１１にイベントが発報された旨を示すようにリンクファイルを作成し（Ｓ１０３）、後述の処理Ｓ１０４を実行する。本実施形態では、下位ＮＴ状態を示すフラグを「２」に変え、下位ＮＴ状態を「警報状態」に書き換える。これによって当該機器監視装置１１が属する下位ＮＴ２内における機器１２からイベントが発報されたことを示す新たなリンクファイルが作成される。
【０１５９】
一方、処理Ｓ１０１の判断の結果、機器１２からイベントの発報が無い場合（ＮＯ）には、イベント処理部１１９は、イベントの発報から復旧した機器１２があるか否かを判断する（Ｓ１０６）。この判断は、例えば、イベントの発報確認の結果と、リンクファイル記憶部１２３に記憶されているリンクファイルの当該機器監視装置１１の下位ＮＴ状態とを比較することによって行うことができる。即ち、リンクファイル記憶部１２３に記憶されているリンクファイルの下位ＮＴ状態のフラグが「警報状態」を示す「２」であって、処理Ｓ１０１で実行したイベントの発報確認の結果がイベントの発報が無いと判断される場合には、復旧と判断される。次に、イベント処理部１１９は、リンクファイル処理開始要求信号を機器監視システム１の上位ＮＴ３に同報通信で送信する（Ｓ１０７）。次に、イベント処理部１１９は、当該機器監視装置１１が正常稼動である旨を示すようにリンクファイルを作成し（Ｓ１０８）、処理Ｓ１０４を実行する。本実施形態では、下位ＮＴ状態を示すフラグを「１」に変え、下位ＮＴ状態を「正常稼動」に書き換える。これによって機器監視装置１１が正常稼動に復旧したことを示す新たなリンクファイルが作成される。
【０１６０】
処理Ｓ１０４において、イベント処理部１１９は、作成したリンクファイルを含むリンクファイル信号を機器監視システム１の上位ＮＴ３に同報通信で送信する。そして、イベント処理部１１９は、リンクファイル処理終了要求信号を機器監視システム１の上位ＮＴ３に同報通信し、このイベントサブプログラムを終了して、処理をメイン処理部１１２に戻す（Ｓ１０５）。
【０１６１】
このように動作することによって、イベント処理部１１９は、当該機器監視装置１１が属する下位ＮＴ２内の機器１２におけるイベントの発報を調査することができ、その調査結果に応じたリンクファイルを作成し、これを機器監視システム１に同報通信で送信する。このため、機器監視システム１内における総ての機器監視装置１１は、当該機器監視装置１１が属する下位ＮＴ２内の機器１２からイベントの発報があったことを示すリンクファイルを自動的に所有することができる。このため、ユーザは、閲覧措置１６を用いて機器監視装置１１から取得したウェブページを閲覧することによって、略リアルタイムで各機器１２のイベントの発報を認識することができる。
【０１６２】
次に、上述したメイン処理部１１２、リンクファイル処理部１１３及びイベント処理部１１９の連携動作をより明確にするために、機器監視装置１１が属する下位ＮＴ２内の機器１２からイベントが発報された場合における各機器監視装置の動作を説明する。
【０１６３】
図１９は、機器監視装置が属する下位ＮＴ２内の機器１２からイベントが発報された場合における各機器監視装置の動作を示すシーケンス図である。ここで、図１に示す機器監視システム１において、機器監視装置１１−ｃが属する下位ＮＴ２内における機器１２からイベントが発報されたものとする。
【０１６４】
図４、図５、図１８及び図１９において、メイン処理部１１２によって起動されると、機器監視装置１１−ｃにおけるイベント処理部１１９は、処理Ｓ１０１を実行して下位ＮＴ２内における機器１２からイベントの発報があった否かを判断し、判断の結果、イベントの発報があったと判断する（Ｃ８１）。そのため、機器監視装置１１−ｃにおけるイベント処理部１１９は、処理Ｓ１０２を実行して上位ＮＴ３に同報通信でリンクファイルし処理開始要求信号を送信する（Ｃ８２）。
【０１６５】
機器監視装置１１−ａ、１１−ｂにおけるメイン処理部１１２は、図８のＣ１２−ａ、Ｃ１２−ｂと同様に、処理Ｓ１１で通信信号が受信されると処理Ｓ１２で当該通信信号がリンクファイル処理開始要求信号であると判断され、処理Ｓ２１を実行し、リンクファイル処理部１１３を起動する。機器監視装置１１−ａ、１１−ｂにおけるリンクファイル処理部１１３は、処理Ｓ３１を実行して通信信号の受信を待つ（Ｃ８３−ａ、Ｃ８３−ｂ）。
【０１６６】
続いて、イベント処理部１１９は、処理Ｓ１０３を実行して、自機の機器監視装置１１−ｃの下位ＮＴ状態のフラグを「２」に変え、下位ＮＴ状態を「警報状態」に書き換えたリンクファイルを作成する（Ｃ８４）。そして、機器監視装置１１−ｃにおける状態確認処理部１１８は、処理Ｓ９５を実行して上位ＮＴ３に同報通信でリンクファイル信号を送信する（Ｃ８５）。
【０１６７】
機器監視装置１１−ａ、１１−ｂにおけるリンクファイル処理部１１３は、図８のＣ１７−ａ、Ｃ１７−ｂと同様に動作し、処理Ｓ３１、処理Ｓ３２及び処理Ｓ３３を経て処理Ｓ３６を実行して自機のリンクファイル記憶部１２３のリンクファイルを更新し、処理Ｓ３１を実行して通信信号の受信を待つ（Ｃ８６−ａ、Ｃ８６−ｂ）。
【０１６８】
機器監視装置１１−ｃにおける状態確認処理部１１８は、処理Ｓ１０５を実行して上位ＮＴ３に同報通信でリンクファイル処理終了要求信号を送信し（Ｃ８７）、イベントサブプログラムを終了する。機器監視装置１１−ａ、１１−ｂにおけるリンクファイル処理部１１３は、図８のＣ１９−ａ、Ｃ１９−ｂと同様に動作して、処理Ｓ３１、処理Ｓ３２及び処理Ｓ３３を経て処理Ｓ３４を実行して、リンクファイルサブプログラムを終了する（Ｃ８８−ａ、Ｃ８８−ｂ）。
【０１６９】
イベントを発報した機器１２がイベントから復旧した場合は、上述のＣ８１で処理Ｓ１０１を実行する代わりに、処理Ｓ１０１でイベントの発報がないと判断して処理Ｓ１０６を実行して復旧したと判断する点を除き、上述のシーケンスを略同様であるので、その説明を省略する。
【図面の簡単な説明】
【０１７０】
【図１】機器監視システムの構成を示す図である。
【図２】機器監視装置の構成を示すブロック図である。
【図３】機器監視装置情報を登録する機器監視装置情報テーブルの構成を示す図である。
【図４】メイン処理部の動作を示すフローチャートである。
【図５】リンクファイル処理部の動作を示すフローチャートである。
【図６】追加処理部の動作を示すフローチャートである。
【図７】リンクファイルを説明するための図である。
【図８】機器監視装置が機器監視システムに新規増設される場合における各機器監視装置の動作を示すシーケンス図である。
【図９】削除処理部の動作を示すフローチャートである。
【図１０】機器監視装置が機器監視システムから削除される場合における各機器監視装置の動作を示すシーケンス図である。
【図１１】ＩＰアドレスを振り替える場合の削除処理部の動作を示すフローチャートである。
【図１２】ＩＰアドレスを振り替えて機器監視装置が機器監視システムから削除される場合における各機器監視装置の動作を示すシーケンス図である。
【図１３】一時離脱処理部の動作を示すフローチャートである。
【図１４】機器監視装置が機器監視システムから一時的に離脱される場合における各機器監視装置の動作を示すシーケンス図である。
【図１５】一時離脱復帰処理部の動作を示すフローチャートである。
【図１６】状態確認処理部の動作を示すフローチャートである。
【図１７】機器監視装置が他の機器監視装置の異常を検出する場合における各機器監視装置の動作を示すシーケンス図である。
【図１８】イベント処理部の動作を示すフローチャートである。
【図１９】機器監視装置が属する下位ＮＴ２内の機器１２からイベントが発報された場合における各機器監視装置の動作を示すシーケンス図である。
【符号の説明】
【０１７１】
１  機器監視システム
２  下位のネットワーク
３  上位のネットワーク
１０  機器監視装置
１０１  制御部
１０２  記憶部
１０３  上位ネットワーク通信インタフェース部
１０４  下位ネットワーク通信インタフェース部
１１２  メイン処理部
１１３  リンクファイル処理部
１１４  追加処理部
１１５  削除処理部
１１６  一時離脱処理部
１１７  一時離脱復帰処理部
１１８  状態確認処理部
１１９  イベント処理部
１２１  機器監視装置情報記憶部
１２２  監視情報記憶部
１２３  リンクファイル記憶部
【図１】
2006039965.tif 000003
【図２】
2006039965.tif 000004
【図３】
2006039965.tif 000005
【図４】
2006039965.tif 000006
【図５】
2006039965.tif 000007
【図６】
2006039965.tif 000008
【図７】
2006039965.tif 000009
【図８】
2006039965.tif 000010
【図９】
2006039965.tif 000011
【図１０】
2006039965.tif 000012
【図１１】
2006039965.tif 000013
【図１２】
2006039965.tif 000014
【図１３】
2006039965.tif 000015
【図１４】
2006039965.tif 000016
【図１５】
2006039965.tif 000017
【図１６】
2006039965.tif 000018
【図１７】
2006039965.tif 000019
【図１８】
2006039965.tif 000020
【図１９】
2006039965.tif 000021